(57)【要約】【課題】媒体が排出される先の状態を簡単に切り替えること。【解決手段】媒体（Ｓ）に画像を記録する画像記録部（ＵＡ）と、画像が記録された媒体が排出される媒体排出口（Ｒｈａ）と、前記媒体排出口（Ｒｈａ）から排出された媒体（Ｓ）が積載される排出媒体積載部（ＴＲｈ）と、前記排出媒体積載部（ＴＲｈ）に着脱可能に装着され、且つ、前記排出媒体積載部（ＴＲｈ）に装着された状態で前記媒体排出口（Ｒｈａ）に接続される媒体受入口（６ｃ）と、内部に形成され且つ前記媒体受入口（６ｃ）から搬入された媒体（Ｓ）が積載される積載室（９）と、前記積載室（９）を開放・閉塞する開閉部材（１１，１１１）とを有する媒体収容容器（１，１０１）とを備えたことを特徴とする画像形成装置（Ｕ）。【選択図】図２
2010131755.tif 000002
【特許請求の範囲】
【請求項１】
媒体に画像を記録する画像記録部と、
画像が記録された媒体が排出される媒体排出口と、
前記媒体排出口から排出された媒体が積載される排出媒体積載部と、
前記排出媒体積載部に着脱可能に装着され、且つ、前記排出媒体積載部に装着された状態で前記媒体排出口に接続される媒体受入口と、内部に形成され且つ前記媒体受入口から搬入された媒体が積載される積載室と、前記積載室を開放・閉塞する開閉部材と、を有する媒体収容容器と、
を備えたことを特徴とする画像形成装置。
【請求項２】
前記開閉部材の開閉を規制する開閉規制装置と、
印刷される画像を特定する画像情報と前記画像の送信者を特定する送信者特定情報とを含み、画像情報送信装置から送信された送信情報を受信する情報受信手段と、
前記送信情報に前記送信者特定情報が含まれる場合に、前記開閉規制装置を制御して、前記開閉部材の開閉を規制する開閉規制手段と、
画像形成装置本体に設けられ、前記送信者特定情報の入力を行う操作部と、
前記操作部で入力された情報と、前記送信者特定情報とが一致するか否かを判別することで、認証を行う認証手段と、
前記認証手段で認証された場合に、前記開閉規制装置を制御して、前記開閉部材の開閉の規制を解除させる開閉規制解除手段と、
を備えたことを特徴とする請求項１に記載の画像形成装置。
【請求項３】
前記媒体収容容器の取外しを規制する着脱規制装置と、
印刷される画像を特定する画像情報と前記画像の送信者を特定する送信者特定情報とを含み、画像情報送信装置から送信された送信情報を受信する情報受信手段と、
前記送信情報に前記送信者特定情報が含まれる場合に、前記着脱規制装置を制御して、前記媒体収容容器の前記排出媒体積載部からの取外しを規制する着脱規制手段と、
画像形成装置本体に設けられ、前記送信者特定情報の入力を行う操作部と、
前記操作部で入力された情報と、前記送信者特定情報とが一致するか否かを判別することで、認証を行う認証手段と、
前記認証手段で認証された場合に、前記着脱規制装置を制御して、前記媒体収容容器の取外しの規制を解除させる着脱規制解除手段と、
を備えたことを特徴とする請求項１または２に記載の画像形成装置。
【請求項４】
前記媒体収容容器の着脱を検出する着脱検出部材と、
画像形成装置本体に設けられ、前記媒体収容容器が着脱された履歴を特定する着脱履歴情報を含む履歴情報を記憶する履歴情報記憶手段と、
前記着脱検出部材による検出結果に基づいて、前記着脱履歴情報を更新する着脱履歴更新手段と、
画像情報を送信する画像情報送信装置において前記媒体収容容器が装着されているか否かを判別するために、前記画像情報送信装置に対して、前記履歴情報記憶手段に記憶された前記着脱履歴情報を含む履歴情報を送信する履歴情報送信手段と、
を備えたことを特徴とする請求項１ないし３のいずれかに記載の画像形成装置。
【請求項５】
前記開閉部材の開閉を検出する開閉検出部材と、
画像形成装置本体に設けられ、前記開閉部材が開閉された履歴を特定する開閉履歴情報を含む履歴情報を記憶する履歴情報記憶手段と、
前記開閉検出部材による検出結果に基づいて、前記開閉履歴情報を更新する開閉履歴更新手段と、
画像情報を送信する画像情報送信装置において前記開閉部材が開閉されたか否かを判別するために、前記画像情報送信装置に対して、前記履歴情報記憶手段に記憶された前記開閉履歴情報を含む履歴情報を送信する履歴情報送信手段と、
を備えたことを特徴とする請求項１ないし４のいずれかに記載の画像形成装置。
【請求項６】
前記積載室に媒体が収容されているか否かを検出する媒体検出部材と、
画像形成装置本体に設けられ、前記媒体が収容されているかまたは媒体が取り出されて無くなっているかを特定する媒体収容情報を含む履歴情報を記憶する履歴情報記憶手段と、
前記媒体検出部材による検出結果に基づいて、前記媒体収容情報を更新する媒体収容情報更新手段と、
画像情報を送信する画像情報送信装置において前記積載室に媒体が収容されているか否かを判別するために、前記画像情報送信装置に対して、前記履歴情報記憶手段に記憶された前記媒体収容情報を含む履歴情報を送信する履歴情報送信手段と、
を備えたことを特徴とする請求項１ないし５のいずれかに記載の画像形成装置。
【請求項７】
印刷される画像を特定する画像情報と前記画像の送信者を特定する送信者特定情報とを含み、画像情報送信装置から送信された送信情報を受信する情報受信手段と、
画像形成装置本体に設けられ、前記送信者特定情報を特定する送信者特定情報を含む履歴情報を記憶する履歴情報記憶手段と、
前記送信者特定情報を含む前記送信情報を受信した場合に、前記履歴情報記憶手段に記憶された前記送信者特定情報を更新する送信者更新手段と、
画像情報を送信する画像情報送信装置において前記積載室に媒体を排出した送信者を特定するために、前記画像情報送信装置に対して、前記履歴情報記憶手段に記憶された前記送信者特定情報を含む履歴情報を送信する履歴情報送信手段と、
を備えたことを特徴とする請求項１ないし６のいずれかに記載の画像形成装置。
【請求項８】
前記媒体排出口の上方に配置され、媒体が排出される第２の媒体排出口と、
前記媒体収容容器の上面に形成され、且つ、前記第２の媒体排出口から排出された媒体が積載される媒体積載面と、
を備えたことを特徴とする請求項１ないし７のいずれかに記載の画像形成装置。
【発明の詳細な説明】
【技術分野】
【０００１】
本発明は、画像形成装置に関する。
【背景技術】
【０００２】
従来の画像形成装置において、用紙の排出部に関する技術として、以下の特許文献１〜３に記載の技術が知られている。
特許文献１としての特開平８−３３７３４７号公報には、スキャナ部（３）と作像部（１）との間に設けられた排紙部（４）に、排紙方向とほぼ直交する筐体（１５）の正面方向に移動可能な排紙トレイ（４１）を設けた画像形成装置が記載されている。
特許文献１に記載の技術では、作像部（１）とその上方のスキャナ部（３）の間の限られた空間、いわゆる、画像形成装置の胴内に排出された用紙が排紙トレイ（４１）に積載され、排紙トレイ（４１）を引き出すことで、用紙の引き出しを容易にしている。また、排紙トレイ（４１）には、印刷面に対して裏面が上面となって排紙されるので、コピー対象が例えば機密文書であっても排紙された状態では、その内容が近くの人に盗み見され難くなっている。
【０００３】
特許文献２としての特開平５−１１９５５８号公報にも、用紙収容装置（３）の本体（７０）の前面に、排紙受け（７５）と給紙カセット（７６）とを引き出し自在に収納する収納部（８３）が形成された画像形成装置が記載されている。
特許文献３としての実公平７−５３０７８号公報にも、排出トレイ（３５）と片面複写済み用紙の収容トレイと排紙トレイとして用いるための中間トレイ（３０）とが装置本体（１）に対して引き出し可能に設けられた画像形成装置が記載されている。
【０００４】
【特許文献１】特開平８−３３７３４７号公報（「００１１」、「００１５」〜「００１６」、図１〜図４、図６）
【特許文献２】特開平５−１１９５５８号公報（「００１６」、図１〜図２）
【特許文献３】実公平７−５３０７８号公報（第５〜６頁、第１図）
【発明の開示】
【発明が解決しようとする課題】
【０００５】
本発明は、媒体が排出される先の状態を簡単に切り替えることを技術的課題とする。
【課題を解決するための手段】
【０００６】
前記技術的課題を解決するために、請求項１に記載の発明の画像形成装置は、
媒体に画像を記録する画像記録部と、
画像が記録された媒体が排出される媒体排出口と、
前記媒体排出口から排出された媒体が積載される排出媒体積載部と、
前記排出媒体積載部に着脱可能に装着され、且つ、前記排出媒体積載部に装着された状態で前記媒体排出口に接続される媒体受入口と、内部に形成され且つ前記媒体受入口から搬入された媒体が積載される積載室と、前記積載室を開放・閉塞する開閉部材と、を有する媒体収容容器と、
を備えたことを特徴とする。
【０００７】
請求項２に記載の発明は、請求項１に記載の画像形成装置において、
前記開閉部材の開閉を規制する開閉規制装置と、
印刷される画像を特定する画像情報と前記画像の送信者を特定する送信者特定情報とを含み、画像情報送信装置から送信された送信情報を受信する情報受信手段と、
前記送信情報に前記送信者特定情報が含まれる場合に、前記開閉規制装置を制御して、前記開閉部材の開閉を規制する開閉規制手段と、
画像形成装置本体に設けられ、前記送信者特定情報の入力を行う操作部と、
前記操作部で入力された情報と、前記送信者特定情報とが一致するか否かを判別することで、認証を行う認証手段と、
前記認証手段で認証された場合に、前記開閉規制装置を制御して、前記開閉部材の開閉の規制を解除させる開閉規制解除手段と、
を備えたことを特徴とする。
【０００８】
請求項３に記載の発明は、請求項１または２に記載の画像形成装置において、
前記媒体収容容器の取外しを規制する着脱規制装置と、
印刷される画像を特定する画像情報と前記画像の送信者を特定する送信者特定情報とを含み、画像情報送信装置から送信された送信情報を受信する情報受信手段と、
前記送信情報に前記送信者特定情報が含まれる場合に、前記着脱規制装置を制御して、前記媒体収容容器の前記排出媒体積載部からの取外しを規制する着脱規制手段と、
画像形成装置本体に設けられ、前記送信者特定情報の入力を行う操作部と、
前記操作部で入力された情報と、前記送信者特定情報とが一致するか否かを判別することで、認証を行う認証手段と、
前記認証手段で認証された場合に、前記着脱規制装置を制御して、前記媒体収容容器の取外しの規制を解除させる着脱規制解除手段と、
を備えたことを特徴とする。
【０００９】
請求項４に記載の発明は、請求項１ないし３のいずれかに記載の画像形成装置において、
前記媒体収容容器の着脱を検出する着脱検出部材と、
画像形成装置本体に設けられ、前記媒体収容容器が着脱された履歴を特定する着脱履歴情報を含む履歴情報を記憶する履歴情報記憶手段と、
前記着脱検出部材による検出結果に基づいて、前記着脱履歴情報を更新する着脱履歴更新手段と、
画像情報を送信する画像情報送信装置において前記媒体収容容器が装着されているか否かを判別するために、前記画像情報送信装置に対して、前記履歴情報記憶手段に記憶された前記着脱履歴情報を含む履歴情報を送信する履歴情報送信手段と、
を備えたことを特徴とする。
【００１０】
請求項５に記載の発明は、請求項１ないし４のいずれかに記載の画像形成装置において、
前記開閉部材の開閉を検出する開閉検出部材と、
画像形成装置本体に設けられ、前記開閉部材が開閉された履歴を特定する開閉履歴情報を含む履歴情報を記憶する履歴情報記憶手段と、
前記開閉検出部材による検出結果に基づいて、前記開閉履歴情報を更新する開閉履歴更新手段と、
画像情報を送信する画像情報送信装置において前記開閉部材が開閉されたか否かを判別するために、前記画像情報送信装置に対して、前記履歴情報記憶手段に記憶された前記開閉履歴情報を含む履歴情報を送信する履歴情報送信手段と、
を備えたことを特徴とする。
【００１１】
請求項６に記載の発明は、請求項１ないし５のいずれかに記載の画像形成装置において、
前記積載室に媒体が収容されているか否かを検出する媒体検出部材と、
画像形成装置本体に設けられ、前記媒体が収容されているかまたは媒体が取り出されて無くなっているかを特定する媒体収容情報を含む履歴情報を記憶する履歴情報記憶手段と、
前記媒体検出部材による検出結果に基づいて、前記媒体収容情報を更新する媒体収容情報更新手段と、
画像情報を送信する画像情報送信装置において前記積載室に媒体が収容されているか否かを判別するために、前記画像情報送信装置に対して、前記履歴情報記憶手段に記憶された前記媒体収容情報を含む履歴情報を送信する履歴情報送信手段と、
を備えたことを特徴とする。
【００１２】
請求項７に記載の発明は、請求項１ないし６のいずれかに記載の画像形成装置において、
印刷される画像を特定する画像情報と前記画像の送信者を特定する送信者特定情報とを含み、画像情報送信装置から送信された送信情報を受信する情報受信手段と、
画像形成装置本体に設けられ、前記送信者特定情報を特定する送信者特定情報を含む履歴情報を記憶する履歴情報記憶手段と、
前記送信者特定情報を含む前記送信情報を受信した場合に、前記履歴情報記憶手段に記憶された前記送信者特定情報を更新する送信者更新手段と、
画像情報を送信する画像情報送信装置において前記積載室に媒体を排出した送信者を特定するために、前記画像情報送信装置に対して、前記履歴情報記憶手段に記憶された前記送信者特定情報を含む履歴情報を送信する履歴情報送信手段と、
を備えたことを特徴とする。
【００１３】
請求項８に記載の発明は、請求項１ないし７のいずれかに記載の画像形成装置において、
前記媒体排出口の上方に配置され、媒体が排出される第２の媒体排出口と、
前記媒体収容容器の上面に形成され、且つ、前記第２の媒体排出口から排出された媒体が積載される媒体積載面と、
を備えたことを特徴とする。
【発明の効果】
【００１４】
請求項１に記載の発明によれば、本発明の構成を有しない場合と比べて、媒体が排出される先の状態を簡単に切り替えることができる。
請求項２に記載の発明によれば、送信者特定情報が一致した場合に、開閉部材の開閉規制が解除され、媒体収容容器に収容されている媒体を取出すことができ、本発明の構成を有しない場合と比べて、送信者以外の人物が媒体を取出すことを低減できる。
請求項３に記載の発明によれば、送信者特定情報の一致した場合に、媒体収容容器の取り外しの規制が解除され、媒体収容容器を持ち運ぶことができ、本発明の構成を有しない場合と比べて、媒体が収容された前記媒体収容容器を送信者以外の人物が持ち去ることを低減できる。
【００１５】
請求項４に記載の発明によれば、媒体収容容器の着脱を検出でき、着脱履歴情報に基づいて、画像情報送信装置において前記媒体収容容器の着脱を把握することができる。
請求項５に記載の発明によれば、開閉部材の開閉を検出でき、開閉履歴情報に基づいて、画像情報送信装置において前記開閉部材の開閉を把握することができる。
請求項６に記載の発明によれば、積載室に媒体が収容されているか否かを検出でき、媒体収容情報に基づいて、画像情報送信装置において前記積載室に媒体が収容されているか否かを把握することができる。
請求項７に記載の発明によれば、送信者特定情報に基づいて、画像情報送信装置において前記積載室に媒体を排出した送信者を把握することができる。
請求項８に記載の発明によれば、第２の媒体排出口から排出された媒体を媒体収容容器の上面に形成された媒体積載面に積載することができ、前記媒体収容容器内部の積載室と上面媒体積載面との両方に媒体を積載することができる。
【発明を実施するための最良の形態】
【００１６】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１７】
図１は本発明の実施例１の画像形成装置の全体説明図である。
図１において、画像形成装置の一例としてのコピー及びプリンタの機能を有する複合機Ｕは自動原稿搬送装置Ｕ１と、これを支持し且つ上端に透明な原稿読取り面ＰＧを有する画像形成装置本体Ｕ２とを備えている。
前記自動原稿搬送装置Ｕ１は、複写しようとする複数の原稿Ｇｉが重ねて収容される原稿給紙部ＴＧ１と、原稿給紙部ＴＧ１から給紙され前記原稿読取り面ＰＧ上の原稿読取位置を通過して搬送される原稿Ｇｉが排出される原稿排紙部ＴＧ２とを有している。
前記画像形成装置本体Ｕ２は、利用者が画像形成動作開始等の作動指令信号を入力操作する操作部の一例としてのユーザインタフェースＵＩと、露光光学系Ａ等を有している。
【００１８】
前記自動原稿搬送装置Ｕ１で原稿読取り面ＰＧ上を搬送される原稿または手動で原稿読取り面ＰＧ上に置かれた原稿からの反射光は、前記露光光学系Ａを介して、固体撮像素子ＣＣＤで赤Ｒ、緑Ｇ、青Ｂの電気信号に変換される。
画像情報変換部ＩＰＳは、固体撮像素子ＣＣＤから入力される前記ＲＧＢの電気信号を黒Ｋ、イエローＹ、マゼンタＭ、シアンＣの印刷情報に変換して一時的に記憶し、前記印刷情報を所定の時期に潜像形成用の印刷情報として潜像形成装置駆動回路ＤＬに出力する。
なお、原稿画像が単色画像、いわゆる、モノクロの場合は、黒Ｋのみの印刷情報が潜像形成装置駆動回路ＤＬに入力される。
【００１９】
また、前記複合機Ｕには、画像情報送信装置の一例としてのクライアントパソコンＰＣが電気的に接続されており、前記情報送信装置ＰＣから画像情報等が送信され、制御部Ｃに入力される。前記制御部Ｃに入力された画像情報は、所定の時期に潜像形成用のイエローＹ、マゼンタＭ、シアンＣ、黒Ｋの印刷情報に変換され、潜像形成装置駆動回路ＤＬに出力される。
【００２０】
前記潜像形成装置駆動回路ＤＬは、図示しない各色Ｙ，Ｍ，Ｃ，Ｋの各駆動回路を有し、入力された印刷情報に応じた信号を所定の時期に、各色毎に配置された潜像形成装置ＬＨｙ，ＬＨｍ，ＬＨｃ，ＬＨｋに出力する。
【００２１】
図１において、前記プリンタＵの重力方向中央部に配置された可視像形成装置Ｕｙ，Ｕｍ，Ｕｃ，Ｕｋはそれぞれ、Ｙ，Ｍ，Ｃ、およびＫの各色の可視像を形成する装置である。
潜像形成装置ＬＨｙ〜ＬＨｋの各潜像書込光源から出射したＹ，Ｍ，Ｃ，Ｋの潜像書込光は、それぞれ、回転する像保持体ＰＲｙ，ＰＲｍ，ＰＲｃ，ＰＲｋに入射する。なお、実施例１では、前記潜像形成装置ＬＨｙ〜ＬＨｋは、いわゆる、ＬＥＤアレイにより構成されている。
前記Ｙの可視像形成装置Ｕｙは、回転する像保持体ＰＲｙ、帯電器ＣＲｙ，潜像形成装置ＬＨｙ、現像装置Ｇｙ、１次転写装置Ｔ１ｙ、像保持体清掃器ＣＬｙを有している。なお、実施例１では、前記像保持体ＰＲｙ、帯電器ＣＲｙ、像保持体清掃器ＣＬｙが、画像形成装置本体Ｕ２に対して一体的に着脱可能な像保持体ユニットとして構成されている。
前記可視像形成装置Ｕｍ，Ｕｃ，Ｕｋはいずれも前記Ｙの可視像形成装置Ｕｙと同様に構成されている。
【００２２】
図１において、前記各像保持体ＰＲｙ，ＰＲｍ，ＰＲｃ，ＰＲｋはそれぞれの帯電器ＣＲｙ，ＣＲｍ，ＣＲｃ，ＣＲｋにより帯電された後、画像書込位置Ｑ１ｙ，Ｑ１ｍ，Ｑ１ｃ，Ｑ１ｋにおいて、前記潜像書込光により、その表面に静電潜像が形成される。前記像保持体ＰＲｙ，ＰＲｍ，ＰＲｃ，ＰＲｋ表面の静電潜像は、現像領域Ｑ２ｙ，Ｑ２ｍ，Ｑ２ｃ，Ｑ２ｋにおいて、現像装置Ｇｙ，Ｇｍ，Ｇｃ，Ｇｋの現像剤保持体の一例としての現像ロールＧＲｙ，ＧＲｍ，ＧＲｃ，ＧＲｋに保持された現像剤により可視像の一例としてのトナー像に現像される。
その現像されたトナー像は、中間転写体の一例としての中間転写ベルトＢに接触する１次転写領域Ｑ３ｙ，Ｑ３ｍ，Ｑ３ｃ，Ｑ３ｋに搬送される。前記１次転写領域Ｑ３ｙ，Ｑ３ｍ，Ｑ３ｃ，Ｑ３ｋにおいて中間転写ベルトＢの裏面側に配置された１次転写装置Ｔ１ｙ，Ｔ１ｍ，Ｔ１ｃ，Ｔ１ｋには、制御部Ｃにより制御される電源回路Ｅから所定の時期にトナーの帯電極性と逆極性の１次転写電圧が印加される。なお、前記現像装置Ｇｙ，Ｇｍ，Ｇｃ，Ｇｋ、前記像保持体ＰＲｙ，ＰＲｍ，ＰＲｃ，ＰＲｋ、および、前記１次転写装置Ｔ１ｙ，Ｔ１ｍ，Ｔ１ｃ，Ｔ１ｋ等によって画像記録部ＵＡが構成される。
【００２３】
前記各像保持体ＰＲｙ〜ＰＲｋ上のトナー像は前記１次転写装置Ｔ１ｙ，Ｔ１ｍ，Ｔ１ｃ，Ｔ１ｋにより中間転写ベルトＢに１次転写される。
１次転写後の像保持体ＰＲｙ，ＰＲｍ，ＰＲｃ，ＰＲｋ表面の残留物、付着物は、像保持体清掃器ＣＬｙ，ＣＬｍ，ＣＬｃ，ＣＬｋにより清掃される。清掃された前記像保持体ＰＲｙ，ＰＲｍ，ＰＲｃ，ＰＲｋ表面は、帯電器ＣＲｙ，ＣＲｍ，ＣＲｃ，ＣＲｋにより再帯電される。
【００２４】
前記像保持体ＰＲｙ〜ＰＲｋの上方には、上下移動可能且つ前方に引き出し可能な中間転写装置の一例としてのベルトモジュールＢＭが配置されている。前記ベルトモジュールＢＭは、前記中間転写ベルトＢと、中間転写体駆動部材の一例としてのベルト駆動ロールＲｄ、中間転写体張架部材の一例としてのテンションロールＲｔ、蛇行防止部材の一例としてのウォーキングロールＲｗ、従動部材の一例としてのアイドラロールＲｆおよび二次転写領域対向部材の一例としてのバックアップロールＴ２ａと、前記１次転写装置Ｔ１ｙ，Ｔ１ｍ，Ｔ１ｃ，Ｔ１ｋとを有している。そして、前記中間転写ベルトＢは、前記各ロールＲｄ，Ｒｔ，Ｒｗ，Ｒｆ，Ｔ２ａにより構成される中間転写体支持部材の一例としてのベルト支持ロールＲｄ，Ｒｔ，Ｒｗ，Ｒｆ，Ｔ２ａにより回転移動可能に支持されている。
【００２５】
前記バックアップロールＴ２ａに接する中間転写ベルトＢの表面に対向してニ次転写部材の一例としての２次転写ロールＴ２ｂが配置されており、前記各ロールＴ２ａ，Ｔ２ｂにより２次転写装置Ｔ２が構成されている。また、２次転写ロールＴ２ｂおよび中間転写ベルトＢの対向する領域には２次転写領域Ｑ４が形成される。
前記１次転写領域Ｑ３ｙ，Ｑ３ｍ，Ｑ３ｃ，Ｑ３ｋで１次転写装置Ｔ１ｙ，Ｔ１ｍ，Ｔ１ｃ，Ｔ１ｋにより中間転写ベルトＢ上に順次重ねて転写された単色または多色のトナー像は、前記２次転写領域Ｑ４に搬送される。
前記１次転写装置Ｔ１ｙ〜Ｔ１ｋ、中間転写ベルトＢおよび２次転写装置Ｔ２等により、実施例１の転写装置Ｔ１＋Ｔ２＋Ｂが構成されている。
【００２６】
前記可視像形成装置Ｕｙ〜Ｕｋの下方には、ガイド部材の一例としての左右一対のガイドレールＧＲが４段設けられており、前記ガイドレールＧＲには、給紙容器の一例としての給紙トレイＴＲ１〜ＴＲ４が前後方向に出入可能に支持されている。給紙トレイＴＲ１〜ＴＲ４に収容された媒体の一例としての記録シートＳは、搬送部材の一例であって、送り出し部材の一例としてのピックアップロールＲｐにより取り出され、媒体捌き部材の一例としてのさばきロールＲｓにより１枚ずつ分離される。そして、記録シートＳは、媒体の搬送路の一例である給紙路ＳＨ１に沿って、搬送部材の一例としての複数の搬送ロールＲａにより搬送され、２次転写領域Ｑ４のシート搬送方向上流側に配置された転写領域搬送時期調節部材の一例としてのレジロールＲｒに送られる。
前記ピックアップロールＲｐ、さばきロールＲｓ等により、実施例１の給紙装置Ｒｐ＋Ｒｓが構成されている。
また、前記最上段の給紙トレイＴＲ１の左方には、手差し給紙部の一例としての手差しトレイＴＲ０が設置されている。前記手差しトレイＴＲ０に支持された記録シートＳは、手差し給紙部材の一例としての手差し給紙ロールＲｐ０により給紙され、手差し搬送路ＳＨ０を搬送され、レジロールＲｒに送られる。
【００２７】
レジロールＲｒは、前記中間転写ベルトＢに形成されたトナー像が２次転写領域Ｑ４に搬送されるのに時期を合わせて、前記記録シートＳを前記給紙路ＳＨ１の下流側の搬送路の一例としての主搬送路ＳＨ２に搬送し、記録シートＳを２次転写領域Ｑ４に搬送する。記録シートＳが前記２次転写領域Ｑ４を通過する際、前記バックアップロールＴ２ａは接地され、２次転写ロールＴ２ｂには前記制御部Ｃにより制御される電源回路Ｅからトナーの帯電極性と逆極性の２次転写電圧が印加される。このとき、前記中間転写ベルトＢ上のトナー像は、前記２次転写装置Ｔ２により記録シートＳに転写される。
２次転写後の前記中間転写ベルトＢは、中間転写体清掃器の一例としてのベルトクリーナＣＬｂにより清掃される。また、ニ次転写後の前記２次転写ロールＴ２ｂは、２次転写装置用清掃器の一例としての二次転写装置用クリーナＣＬｔにより清掃される。
【００２８】
前記トナー像が２次転写された記録シートＳは、定着装置Ｆの加熱用定着部材の一例としての加熱ロールＦｈおよび加圧用定着部材の一例としての加圧ロールＦｐの圧接領域である定着領域Ｑ５に搬送され、前記定着領域を通過する際に加熱定着される。なお、前記加熱ロールＦｈ表面には、記録シートＳの前記加熱ロールからの離型性を良くするための離型剤が離型剤塗布装置Ｆａにより塗布されている。
【００２９】
前記定着装置Ｆの搬送方向下流側である上方には、記録シートＳを排出媒体積載部の一例としての排出トレイＴＲｈに搬送する場合に搬送路の一例としての排出路ＳＨ３と、反転や画像記録面を上側にして排出される記録シートＳが搬送される搬送路の一例としての上方接続路ＳＨ４が配置されている。
前記排出路ＳＨ３と前記上方接続路ＳＨ４との接続部には、記録シートＳの搬送先に応じて搬送路を切り替える搬送路切り替え部材の一例としての第１ゲートＧＴ１が配置されている。したがって、前記排出トレイＴＲｈに排出される場合には、定着された記録シートＳが前記排出路ＳＨ３を搬送され、媒体排出部材の一例としての排紙ロールＲｈによって媒体排出口Ｒｈａから前記排出トレイＴＲｈに排出される。
前記排出トレイＴＲｈの右端部奥側には、着脱検知部材の一例としての第１カセット着脱検知センサＳＮ１、情報読取装置の一例としての第１ＩＣチップリーダＳＮ２、媒体検知部材の一例としての第１記録シート検知センサＳＮ３が配置されている。
なお、前記第１カセット着脱検知センサＳＮ１には、従来公知の接触式のセンサや光センサが使用可能であり、実施例１の第１カセット着脱検知センサＳＮ１は、光センサが使用されている。また、実施例１の第１ＩＣチップリーダＳＮ２は、従来公知の無線読取器、たとえば、ＲＦＩＤ：Ｒａｄｉｏ  Ｆｒｅｑｕｅｎｃｙ  ＩＤｅｎｔｉｆｉｃａｔｉｏｎ方式でＩＣタグを読み取るＩＣリーダが使用されている。さらに、実施例１の第１記録シート検知センサＳＮ３は、従来公知の光センサが使用されている。
【００３０】
前記定着装置Ｆの上方には、追加媒体排紙装置の一例としてのオプション排出ユニットＵ３が支持されており、前記オプション排出ユニットＵ３は、前記排出トレイＴＲｈの上方に配置され、前記排出トレイＴＲｈと同様に画像記録面が下側になる状態で積載される排出媒体積載部の一例であり、下向き積載部の一例としてのフェイスダウントレイＴＲｈ２と、画像記録面が上側になる状態で積載される排出媒体積載部の一例であり、上向き積載部の一例としてのフェイスアップトレイＴＲｈ３とを有する。
前記フェイスアップトレイＴＲｈ３の右端部奥側には、着脱検知部材の一例としての第２カセット着脱検知センサＳＮ４、情報読取装置の一例としての第２ＩＣチップリーダＳＮ５、媒体検知部材の一例としての第２記録シート検知センサＳＮ６が配置されている。
なお、前記第２カセット着脱検知センサＳＮ４には、従来公知の接触式のセンサや光センサが使用可能であり、実施例１の第２カセット着脱検知センサＳＮ４は、光センサが使用されている。また、実施例１の第２ＩＣチップリーダＳＮ５は、従来公知の無線読取器、たとえば、ＲＦＩＤ方式でＩＣタグを読み取るＩＣリーダが使用されている。
さらに、実施例１の第２記録シート検知センサＳＮ６は、従来公知の光センサが使用されている。
【００３１】
前記オプション排出ユニットＵ３内部には、前記上側接続路ＳＨ４に接続される搬送路の一例としての反転・排出共通路ＳＨ５と、前記反転・排出共通路ＳＨ５に接続され、且つ、第２の媒体排出口Ｒｈｂから前記フェイスダウントレイＴＲｈ２に記録シートＳを送る搬送路の一例としてのフェイスダウン排出路ＳＨ６と、前記反転・排出共通路ＳＨ５に接続され、且つ、フェイスアップトレイＴＲｈ３に記録シートＳを送る搬送路の一例としてのフェイスアップ排出路ＳＨ７と、を有する。前記フェイスダウン排出路ＳＨ６には、搬送部材の一例であって、媒体排出部材兼媒体反転部材の一例として、正逆回転可能な反転ロールＲｈ２が配置されており、前記フェイスアップ排出路ＳＨ７には、媒体排出部材の一例としてのフェイスアップ排紙ロールＲｈ３が配置され、各搬送路ＳＨ６，ＳＨ７の記録シートＳを搬送する。
【００３２】
前記反転・排出共通路ＳＨ５と、前記フェイスダウン排出路ＳＨ６と、前記フェイスアップ排出路ＳＨ７との接続部には、記録シートＳの搬送路を切り替える搬送路切り替え部材の一例としての第２ゲートＧＴ２が配置されている。前記第２ゲートＧＴ２は、記録シートＳが前記フェイスダウントレイＴＲｈ２に排出される場合と両面印刷のために反転される場合に前記フェイスダウン排出路ＳＨ６に搬送路を切り替え、記録シートＳが前記フェイスアップトレイＴＲｈ３に排出される場合には前記フェイスアップ排出路ＳＨ７に搬送路を切り替える。
【００３３】
図２は本発明の実施例１の画像形成装置に媒体収容容器が装着された状態の説明図である。
図３は本発明の実施例１の第１着脱カセットの説明図であり、図３Ａは複合機の斜視図、図３Ｂは第１着脱カセットの開閉部を開放した状態の要部拡大図である。
図１、図２において、前記排出トレイＴＲｈと前記フェイスダウントレイＴＲｈ２との間には、媒体収容容器の一例としての第１着脱カセット１が前記画像形成装置本体Ｕ２に対して着脱可能に構成されている。
【００３４】
図２、図３において、前記第１着脱カセット１は、媒体収容容器本体の一例としての第１着脱カセット本体２を有している。
前記第１着脱カセット本体２は、前記第１着脱カセット本体２の下側に配置され、且つ、前記排出トレイＴＲｈの上面に支持され、前記排出トレイＴＲｈの上面に沿って左右方向に延びる収容器下壁の一例としての第１底壁３を有する。
前記第１底壁３には、前記第１着脱カセット１が前記排出トレイＴＲｈに装着された状態で、前記第１記録シート検知センサＳＮ３に対応する位置に、光を透過する部材、たとえば、透明な樹脂により構成された光透過窓３ａが形成されている。
また、前記第１底壁３の下面には、前記第１着脱カセット１が前記排出トレイＴＲｈに装着された状態で、前記第１ＩＣチップリーダＳＮ２に対向する位置に図示しない情報記憶部材の一例としての第１ＩＣチップが配置されている。
【００３５】
前記第１底壁３の右端部、左端部、後端部には上方に延びる収容器右壁の一例としての第１右壁４、収容器左壁の一例としての第１左壁６、収容器後壁の一例としての第１奥壁が形成されている。
前記第１左壁６の上端部の前端部には、取外し被規制部の一例としての第１取出し規制貫通口６ａが形成されており、第１取出し規制貫通口６ａの下方には、第１光通過口６ｂが形成されている。また、前記第１左壁６の上部には、前記第１着脱カセット１が前記排出トレイＴＲｈに装着された状態で、前記媒体排出口Ｒｈａに対向する高さの位置に前後方向に延びる媒体受入口の一例としての媒体導入口６ｃが形成されている。
【００３６】
前記第１右壁４、前記第１左壁６、および、前記第１奥壁の上端には、左右方向に延びる媒体積載面の一例としての第１上壁８が形成されている。前記第１上壁８の上面には、補助積載部の一例としての補助積載面８ａが形成されている。前記補助積載面８ａは、前記フェイスダウントレイＴＲｈ２に沿って形成されており、第２の媒体排出口Ｒｈｂより前記フェイスダウントレイＴＲｈ２に排出された記録シートＳの一部を支持可能に構成されている。
前記第１着脱カセット本体２の前記第１底壁３、前記第１右壁４、前記第１左壁６、前記第１奥壁、前記第１上壁８で囲まれた空間により、前記媒体導入口６ｃを通じて搬入された記録シートＳが第１底壁３の上面に積載、収容される積載室の一例としての媒体収容空間９が構成されている。前記媒体収容空間９の前面には、前記媒体収容空間９内に収容された記録シートＳを取出す媒体取出し口９ａが形成されている。
【００３７】
また、図３において、前記第１右壁４の前端には、蝶番いわゆるヒンジを介して、前記媒体取出し口９ａを開閉する開閉部材の一例である第１前側扉１１が回転可能に支持されている。前記第１前側扉１１の左部前面には、前方に向けて突出する把持部の一例としての第１ハンドル１１ａが形成されている。
図３Ｂにおいて、前記第１前側扉１１の左端部には、後方に向けて突出する突出部１１ｂが形成されており、前記突出部１１ｂは、前記第１前側扉１１が前記媒体取出し口９ａを閉塞すると、前記第１光通過口６ｂの内側を塞ぐ位置まで移動する。
また、前記突出部１１ｂには、前記第１前側扉１１が前記媒体取出し口９ａを閉塞した状態で、前記第１取出し規制貫通口６ａに対応する位置に前記突出部１１ｂを貫通する開閉規制部の一例としての第１扉開閉規制用貫通口１１ｃが形成される。
【００３８】
図１〜図３において、前記画像形成装置本体Ｕ２の前記排出ロールＲｈの上方には、前記着脱カセット１が前記排出トレイＴＲｈに装着された状態で、前記第１取出し規制貫通口６ａと前記第１扉開閉規制用貫通口１１ｃとに対応する位置に、取外し規制装置の一例であって、開放規制装置の一例であり、着脱規制装置の一例としての第１取外し開放規制装置１２が配置されている。
前記第１取外し開放規制装置１２は、図２に示す第１着脱カセット本体２内に進入した施錠位置いわゆるロック位置と、図１に示す第１着脱カセット本体２内から退避した開放位置いわゆるアンロック位置との間で移動可能に支持された施錠部材の一例としてのロックロッド１３を有する。前記ロックロッド１３の右部には、前記第１取出し規制貫通口６ａ、前記第１扉開閉規制用貫通口１１ｃを貫通可能な貫通部１３ａが形成されており、前記ロックロッド１３の左部には、噛合部の一例としてのギア歯１３ｂが左右方向に沿って形成されている。
【００３９】
前記ロックロッド１３の下方には、前記ギア歯１３ｂと噛み合う歯車の一例としてのギア１４が回転可能に配置されている。また、前記ギア１４の回転軸には、取外し開放規制制御用駆動源の一例としてのロック用モータＭ２から駆動が伝達される。
よって、前記ロック用モータＭ２が正方向に回転駆動をすると、前記ギア１４が正方向に回転し、前記ロックロッド１３はロック位置に移動する。また、前記ロック用モータＭ２が逆方向に回転駆動をすると、前記ギア１４が逆方向に回転し、前記ロックロッド１３はアンロック位置に移動する。
【００４０】
また、前記第１取外し開放規制装置１２の下方には、前記第１着脱カセット１が前記排出トレイＴＲｈに装着された状態で、前記第１光通過口６ｂに対応する位置に開閉検知部材の一例である扉開閉検知センサＳＮ７が配置されている。実施例１の扉開閉検知センサＳＮ７は、従来公知の光センサが使用されている。
したがって、前記第１前側扉１１が閉じられた状態では、前記第１光通過口６ｂの内側を塞ぐ前記突出部１１ｂで光が反射され前記突出部１１ｂが検知されるために、前記第１前側扉１１が閉じられていることを検知可能である。また、前記第１前側扉１１が開けられた状態では、前記第１光通過口６ｂの内側に前記突出部１１ｂが無く、光が反射されないため、前記突出部１１ｂが検知されず、前記第１前側扉１１の開放が検知可能である。
【００４１】
図１、図２において、前記フェイスアップトレイＴＲｈ３の上面には、媒体収容容器の一例としての第２着脱カセット１０１が着脱可能に装着されている。
前記第２着脱カセット１０１は、前記第１着脱カセット１に比べて外形の形状が異なっている点を除き、前記第１着脱カセット１と同様に構成されているため、前記第１着脱カセット１の各部と同様の部分には、前記第１着脱カセット１の符号２〜１１に「１００」を加えた符号を付し、詳細な説明は省略する。
【００４２】
前記画像形成装置本体Ｕ２の左側部には、追加ユニットの一例としての反転ユニットＵ４が設置されている。前記反転ユニットＵ４には、反転・排出共通路ＳＨ５の下端部に接続され、両面印刷時に記録シートＳが搬送される搬送路の一例としての反転路ＳＨ８が設けられている。前記反転路ＳＨ８は、重力方向に沿って直線上に延びる主反転路ＳＨ８ａと、前記主反転路ＳＨ８ａと反転・排出共通路ＳＨ５とを接続する上流側反転路ＳＨ８ｂと、前記主反転路ＳＨ８ａとレジロールＲｒとを接続する下流側反転路ＳＨ８ｃと、を有する。前記上流側反転路ＳＨ８ｂと反転・排出共通路ＳＨ５との接続部には、記録シートＳが反転時に上方接続路ＳＨ４に搬送されないよう搬送路を切り替える搬送路切り替え部材の一例としての第３ゲートＧＴ３が配置されている。前記反転・排出共通路ＳＨ５やフェイスダウン排出路ＳＨ６の搬送方向下流側の搬送路である反転路ＳＨ８には、反転路ＳＨ８内の記録シートＳを搬送する反転路搬送部材の一例としての反転路搬送ロールＲａ２が配置されている。
【００４３】
したがって、両面印刷がされる記録シートＳは、前記反転・排出共通路ＳＨ５を搬送されて、反転ロールＲｈ２によって、第２の媒体排出口Ｒｈｂより記録シートＳの後端部が挟まれた状態になるまでフェイスダウントレイＴＲｈ２に排出された後、反転ロールＲｈ２が逆回転し、記録シートＳが反転路ＳＨ８に搬送される。前記反転路ＳＨ８を搬送された記録シートＳは、反転路搬送ロールＲａ２により搬送され、表裏が反転した状態で、レジロールＲｒに搬送される。
前記各搬送路ＳＨ１〜ＳＨ８により実施例１の搬送路ＳＨが構成されており、前記搬送路ＳＨ、給紙装置Ｒｐ＋Ｒｓ、シート搬送ロールＲａ、レジロールＲｒ、排出ロールＲｈ、反転ロールＲｈ２、フェイスアップ排出ロールＲｈ３、反転路搬送ロールＲａ２、ゲートＧＴ１〜ＧＴ３等により媒体搬送装置ＳＨ＋Ｒａ〜Ｒａ２＋Ｒｒ＋ＧＴが構成されている。
【００４４】
前記ベルトモジュールＢＭの上方にはイエローＹ，マゼンタＭ，シアンＣ，黒Ｋの各現像剤を収容する現像剤補給容器の一例としての現像剤カートリッジＫｙ，Ｋｍ，Ｋｃ，Ｋｋが配置されている。各現像剤カートリッジＫｙ，Ｋｍ，Ｋｃ，Ｋｋに収容された現像剤は、前記現像装置Ｇｙ，Ｇｍ，Ｇｃ，Ｇｋの現像剤の消費に応じて、図示しない現像剤補給路から前記各現像装置Ｇｙ，Ｇｍ，Ｇｃ，Ｇｋに補給される。なお、実施例１では、前記現像剤として、磁性のキャリアと、外添剤が付与されたトナーとを含む二成分現像剤により構成されている。
【００４５】
（クライアントパソコンＰＣの制御部の説明）
図４は実施例１の画像情報送信装置の制御部分が備えている各機能を機能ブロック図で示した図である。
図４において、実施例１のクライアントパソコンＰＣは、画像情報送信装置本体の一例としてのコンピュータ本体Ｈ１、画像表示装置の一例としてのディスプレイＨ２、入力装置の一例としてのキーボードＨ３、および、マウスＨ４を有している。前記コンピュータ本体Ｈ１は、外部との信号の入出力、および、入出力信号レベルの調節等を行う入出力信号調節部の一例としての入出力インターフェース、いわゆる、Ｉ／Ｏ、必要な処理を実行するためのプログラム、および、データ等が記憶された補助記憶装置の一例としてのリードオンリーメモリ、いわゆる、ＲＯＭや、ハードディスクドライブ、いわゆる、ＨＤＤ、必要なデータを一時的に記憶するためのランダムアクセスメモリ、いわゆる、ＲＡＭ、前記ＲＯＭや、前記ＨＤＤに記憶されたプログラムに応じた処理を行う中央演算処理装置、いわゆる、ＣＰＵ、ならびにクロック発振器等を有する計算機の一例としてのコンピュータにより構成されている。
前記構成のクライアントパソコンＰＣは、前記ＨＤＤや前記ＲＯＭ等に記憶されたプログラムを実行することにより種々の機能を実現することができる。
【００４６】
前記クライアントパソコンＰＣの前記ＨＤＤには、コンピュータ装置の基本動作を制御する基本ソフトウェアの一例としてのオペレーティングシステムＯＳや、文書を作成する文書作成ソフトウェア、製図を行う製図ソフトウェア等のアプリケーションソフトウェア、前記オペレーティングシステムＯＳやアプリケーションソフトウェアからの印刷実行の入力に応じて画像形成装置で印刷される印刷情報や制御信号を作成、送信する印刷実行プログラムＡＰＩ、いわゆる、プリンタドライバ等が記憶されている。以下、前記印刷実行プログラムＡＰ１の各機能、いわゆる、制御手段を説明する。
【００４７】
（印刷実行プログラムＡＰ１）
前記印刷実行プログラムＡＰ１は、履歴情報取得手段Ｃ１と、カセット利用可否判別手段Ｃ２と、印刷設定画面表示手段Ｃ３と、セキュリティプリント設定画面表示手段Ｃ４と、認証情報設定手段Ｃ５とを有する。実施例１の印刷実行プログラムＡＰ１は、画像形成装置で印刷される印刷情報や制御信号を作成、送信する。
【００４８】
Ｃ１：履歴情報取得手段
履歴情報取得手段Ｃ１は、履歴情報送信要求送信手段Ｃ１Ａと、履歴情報受信手段Ｃ１Ｂと、履歴情報記憶手段Ｃ１Ｃとを有する。履歴情報取得手段Ｃ１は、前記画像形成装置本体Ｕ２の第１着脱カセット１や第２着脱カセット１０１の着脱や、使用された履歴に関する情報である履歴情報を前記画像形成装置本体Ｕ２から取得する。
実施例１の履歴情報には、前記第１着脱カセット１や前記第２着脱カセット１０１が、排出トレイＴＲｈやフェイスアップトレイＴＲｈ３に装着されているかを特定する容器着脱情報の一例としてのカセット着脱情報と、前記第１着脱カセット１の第１前側扉１１や前記第２着脱カセット１０１の開閉部材の一例としての第２前側扉１１１が開閉された履歴を特定する容器開閉情報の一例としてのカセット開閉情報と、前記第１着脱カセット１内や前記第２着脱カセット１０１内に記録シートＳが積載されているかを特定する残媒体有無情報の一例としてのカセット内残シート有無情報と、前記第１着脱カセット１や前記第２着脱カセット１０１を利用した利用者の履歴を特定する利用者履歴情報の一例としてのユーザ履歴情報とが含まれている。
【００４９】
Ｃ１Ａ：履歴情報送信要求送信手段
履歴情報送信要求送信手段Ｃ１Ａは、前記画像形成装置本体Ｕ２に対し、履歴情報を送信するように要求する信号を送信する。
Ｃ１Ｂ：履歴情報受信手段
履歴情報受信手段Ｃ１Ｂは、前記画像形成装置本体Ｕ２より送信された履歴情報を受信する。
Ｃ１Ｃ：履歴情報記憶手段
履歴情報記憶手段Ｃ１Ｃは、受信した履歴情報を記憶する。
【００５０】
Ｃ２：カセット利用可否判別手段
容器利用可否判別手段の一例であるカセット利用可否判別手段Ｃ２は、前記履歴情報記憶手段Ｃ１Ｃによって記憶された履歴情報に基づき、記録シートＳの排出先として、前記第１着脱カセット１や前記第２着脱カセット１０１が利用可能か否かを判別する。
実施例１のカセット利用可否判別手段Ｃ２では、履歴情報のカセット着脱情報に基づいて前記第１着脱カセット１が排出トレイＴＲｈに装着され、且つ、カセット開閉情報に基づいて前記第１着脱カセット１の第１前側扉１１が閉じられ、且つ、カセット内残シート有無情報に基づいて前記第１着脱カセット１内に記録シートが残っていない場合にのみ、前記第１着脱カセット１は、記録シートＳの排出先として利用可能と判別される。
【００５１】
一方、前記第１着脱カセット１が前記排出トレイＴＲｈから外された状態、前記第１着脱カセット１の前記第１前側扉１１が開放された状態、前記第１着脱カセット１内に記録シートが残っている状態のいずれかの状態である場合に、前記第１着脱カセット１は利用不可と判別される。
なお、前記第２着脱カセット１０１についても、記録シートＳの排出先としての利用の可否は、前記第１着脱カセット１の場合と同様に判別される。
【００５２】
図５は本発明の実施例１の印刷設定画面の説明図である。
Ｃ３：印刷設定画面表示手段
印刷設定画面表示手段Ｃ３は、印刷指示があった場合に、印刷の各種設定を行うための印刷設定画面３１を前記ディスプレイＨ２に表示する。
図５において、実施例１の印刷設定画面３１は、印刷の実行を指示する印刷実行釦の一例としての「ＯＫ」アイコン３２、印刷の取消しを指示する印刷取消し釦の一例としての「キャンセル」アイコン３３、機密文書の印刷の一例としてのセキュリティプリントの設定を行う機密情報印刷設定釦の一例としての「セキュリティ設定」アイコン３４、印刷する印刷範囲や頁数を入力する印刷範囲設定欄３６、および、印刷する部数を入力する印刷部数設定欄３７等の各種設定欄を有する。
【００５３】
図６は本発明の実施例１のセキュリティプリント設定画面の説明図である。
Ｃ４：セキュリティプリント設定画面表示手段
機密情報印刷設定画面表示手段の一例としてのセキュリティプリント設定画面表示手段Ｃ４は、セキュリティプリントの設定を行う指示があった場合に、セキュリティプリントの各設定を行うための機密情報印刷設定画面の一例としてのセキュリティプリント設定画面４１を前記ディスプレイＨ２に表示する。
図６において、実施例１の前記セキュリティプリント設定画面４１は、セキュリティプリントの認証入力を行う機密情報印刷認証釦の一例としての「認証」アイコン４２、セキュリティプリントの取消しを指示する機密情報印刷取消し釦の一例としてのセキュリティプリント「キャンセル」アイコン４３、記録シートＳの排出先を選択する記録シート排出先選択欄４４、および、利用者の入力に応じて選択された前記着脱カセット１，１０１に対応する部分が強調表示される記録シート排出先表示画像４６を有する。
【００５４】
実施例１のセキュリティプリント設定画面表示手段Ｃ４は、カセット利用可否判別手段Ｃ２の判別結果に基づいて、前記第１着脱カセット１や前記第２着脱カセット１０１が、記録シートＳの排出先として利用可能であるか否かの状態に応じて、記録シート排出先選択欄４４、および、記録シート排出先表示画像４６の表示を行う。
具体的には、前記カセット利用可否判別手段Ｃ２で利用可能と判別された前記第１着脱カセット１、前記第２着脱カセット１０１については、図６の排出媒体収容容器状態表示部の一例である第１カセット状態表示部４４ａに示すように、前記記録シート排出先選択欄４４の前記着脱カセット１，１０１の前記第１カセット状態表示部４４ａ、排出媒体収容容器状態表示部の一例である第２カセット状態表示部４４ｂに利用可能である旨の表示がされ、選択可能な状態となる。
一方、前記カセット利用可否判別手段Ｃ２で利用不可と判別された場合、図６の第２カセット状態表示部４４ｂに示すように、前記記録シート排出先選択欄４４の前記各着脱カセット１，１０１の前記各カセット状態表示部４４ａ，４４ｂに利用不能であると共に、ユーザ履歴情報に基づいて、利用不能な前記各着脱カセット１，１０１を最後に使用した利用者の利用者名が表示され、排出先として選択不能な状態となる。
【００５５】
Ｃ５：認証情報設定手段
認証情報設定手段Ｃ５は、認証情報入力画面表示手段Ｃ５Ａと、認証情報入力有無判別手段Ｃ５Ｂと、認証情報記憶手段Ｃ５Ｃとを有し、印刷を実行する利用者と、複合機Ｕから記録シートＳを取出そうとする利用者が一致するか否かの認証をするための認証情報の設定を行う。
実施例１の認証情報設定手段Ｃ５では、認証情報として利用者識別情報、いわゆる、ユーザＩＤ情報と、暗証情報の一例としてのパスワード情報とを用いる。
【００５６】
図７は本発明の実施例１の認証情報入力画面の説明図である。
Ｃ５Ａ：認証情報入力画面表示手段
認証情報入力画面表示手段Ｃ５Ａは、前記セキュリティプリント設定画面４１において、前記認証アイコン４２の入力がされて、認証情報入力を行う指示があった場合に、認証情報入力を行うための認証情報入力画面５１を前記ディスプレイＨ２に表示する。
図７において、実施例１の認証情報入力画面５１は、認証情報入力の完了を指示する認証情報入力完了釦の一例としての「ＯＫ」アイコン５２、認証情報入力の取消しを指示する認証情報入力取消し釦の一例としての「キャンセル」アイコン５３、ユーザＩＤ情報の入力を行うための利用者識別情報入力欄の一例としてのＩＤ入力欄５４、および、パスワード情報の入力を行うための暗証情報入力欄の一例としてのパスワード入力欄５６を有する。
【００５７】
Ｃ５Ｂ：認証情報入力有無判別手段
認証入力有無判別手段Ｃ５Ｂは、前記ＩＤ入力欄５４にユーザＩＤ情報が入力され、且つ、前記パスワード入力欄５６にパスワード情報が入力されたか否かを判別する。
Ｃ５Ｃ：認証情報記憶手段
認証情報記憶手段Ｃ５Ｃは、前記ＩＤ入力欄５４に入力されたユーザＩＤ情報と、前記パスワード入力欄５６に入力されたパスワード情報とを含む認証情報を記憶する。
【００５８】
Ｃ６：印刷送信情報作成手段
印刷送信情報作成手段Ｃ６は、前記オペレーティングシステムＯＳ、アプリケーションソフトウェアからの印刷実行の入力に応じた印刷される画像の情報である印刷画像情報と、前記印刷範囲設定欄３６や、前記印刷部数設定欄３７や、前記記録シート排出先選択欄４４や、前記ＩＤ入力欄５４や、前記パスワード入力欄５６に利用者が入力した印刷設定情報や、認証情報を含む印刷送信情報を作成する。
Ｃ７：印刷送信情報送信手段
印刷送信情報送信手段Ｃ７は、前記印刷送信情報記憶手段Ｃ６によって作成された印刷送信情報を前記画像形成装置本体Ｕ２に送信する。
【００５９】
（実施例１の制御部の説明）
図８は本発明の実施例１の画像形成装置本体の制御部分が備えている各機能を機能ブロック図で示した図である。
図８において、実施例１の画像形成装置本体Ｕ２の制御部Ｃは、いわゆる、マイクロコンピュータにより構成されており、外部との信号の入出力、および、入出力信号レベルの調節等を行うＩ／Ｏ、必要な処理を実行するためのプログラム、および、データ等が記憶されたＲＯＭ、必要なデータを一時的に記憶するためのＲＡＭや、ＨＤＤ、前記ＲＯＭや、前記ＨＤＤに記憶されたプログラムに応じた処理を行うＣＰＵ、ならびにクロック発振器等を有する計算機の一例としてのコンピュータにより構成されており、前記ＲＯＭに記憶されたプログラムを実行することにより種々の機能を実現することができる。
【００６０】
（制御部Ｃに接続された信号入力要素）
前記制御部Ｃには、ユーザインタフェースＵＩ，ＳＮ１〜ＳＮ７，ＳＮ１０７等の信号出力要素からの出力信号が入力されている。
前記ユーザインタフェースＵＩは、印刷実行釦の一例としてのコピー開始釦ＵＩ１、印刷実行中止釦の一例としてのコピー中止釦ＵＩ２、表示部ＵＩ３、方向入力釦の一例としての矢印釦ＵＩ４、および、セキュリティプリントされた記録シートＳを取出すための認証情報の入力を開始する認証開始釦ＵＩ６等を備えている。
【００６１】
ＳＮ１：第１カセット着脱検知センサ
第１カセット着脱検知センサＳＮ１は、第１着脱カセット１が排出トレイＴＲｈに装着されたか否かを検出する。
ＳＮ２：第１ＩＣチップリーダ
第１ＩＣチップリーダＳＮ２は、前記第１着脱カセット１が前記排出トレイＴＲｈに装着された場合に、前記第１着脱カセット１の第１底壁３の下面に配置された第１ＩＣチップから履歴情報を読取り、また、書き込む。
ＳＮ３：第１記録シート検知センサ
第１記録シート検知センサＳＮ３は、第１着脱カセット本体２の媒体収容空間９に記録シートＳが残っているか否かを検出する。
【００６２】
ＳＮ４：第２カセット着脱検知センサ
第２カセット着脱検知センサＳＮ４は、第２着脱カセット１０１がフェイスアップトレイＴＲｈ３に装着されたか否かを検出する。
ＳＮ５：第２ＩＣチップリーダ
第２ＩＣチップリーダＳＮ５は、前記第２着脱カセット１０１が前記フェイスアップトレイＴＲｈ３に装着された場合に、前記第２着脱カセット１０１の第２底壁１０３の下面に配置された図示しない第２ＩＣチップからカセット着脱情報を読取り、また、書き込む。
ＳＮ６：第２記録シート検知センサ
第２記録シート検知センサＳＮ６は、前記第２着脱カセット本体１０２の媒体収容空間９に記録シートＳが残っているか否かを検出する。
【００６３】
ＳＮ７：第１扉開閉検知センサ
第１扉開閉検知センサＳＮ７は、前記第１着脱カセット１の第１前側扉１１が閉じられているか否かを検出する。
ＳＮ１０７：第２扉開閉検知センサ
開閉検出部材の一例としての第２扉開閉検知センサＳＮ１０７は、前記第２着脱カセット１０１の第２前側扉１１１が閉じられているか否かを検出する。
【００６４】
（制御部Ｃに接続された被制御要素）
制御部Ｃは、次の被制御要素Ｄ１〜Ｄ２，Ｅの制御信号を出力している。
Ｄ１：メインモータ駆動回路
主駆動源駆動回路の一例としてのメインモータ駆動回路Ｄ１は、主駆動源の一例としてのメインモータＭ１を駆動することにより、像保持体ＰＲｙ〜ＰＲｋや中間転写ベルトＢ等を回転駆動する。
Ｄ２：ロックロッド制御回路
施錠部材制御回路の一例としてのロックロッド制御回路Ｄ２は、ロック用モータＭ２を正方向、逆方向に回転駆動することにより、ギア１４を介して、ロックロッド１３，１１３をロック位置とアンロック位置の間で移動させる。
【００６５】
Ｅ：電源回路
電源回路Ｅは、現像用電源回路Ｅ１、帯電用電源回路Ｅ２、転写用電源回路Ｅ３、定着用電源回路Ｅ４等を有している。
Ｅ１：現像用電源回路
現像用電源回路Ｅ１は、現像装置Ｇｙ〜Ｇｋの現像ロールＧＲｙ〜ＧＲｋに現像電圧を印加する。
Ｅ２：帯電用電源回路
帯電用電源Ｅ２は、帯電器ＣＲｙ〜ＣＲｋそれぞれに像保持体ＰＲｙ〜ＰＲｋ表面を帯電させるための帯電電圧を印加する。
Ｅ３：転写用電源回路
転写用電源回路Ｅ３は、１次転写装置Ｔ１ｙ〜Ｔ１ｋや２次転写ロールＴ２ｂに転写電圧を印加する。
Ｅ４：定着用電源回路
定着用電源回路Ｅ４は、定着装置Ｆの加熱ロールＦｈにヒータ加熱用の電源を供給する。
【００６６】
（制御部Ｃの機能）
前記制御部Ｃは、前記信号出力要素からの入力信号に応じた処理を実行して、前記各制御要素に制御信号を出力する機能を有している。すなわち、制御部Ｃは次の機能を有している。
Ｃ２１：ジョブ制御手段
画像形成動作制御手段の一例としてのジョブ制御手段Ｃ２１は、前記クライアントパソコンＰＣから送信された印刷送信情報に応じて、前記帯電器ＣＲｙ〜ＣＲｋ、１次転写装置Ｔ１ｙ〜Ｔ１ｋ、定着装置Ｆ等の動作を制御して画像形成動作の一例としてのジョブを実行する。
Ｃ２２：メインモータ駆動制御手段
主駆動源駆動制御手段の一例としてのメインモータ駆動制御手段Ｃ２２は、前記メインモータ駆動回路Ｄ１を介して前記メインモータＭ１の駆動を制御して、現像装置Ｇｙ〜Ｇｋ、前記定着装置Ｆの加熱ロールＦｈ、排出ロールＲｈ等の駆動を制御する。
【００６７】
Ｃ２３：電源回路制御手段
電源回路制御手段Ｃ２３は、前記電源回路Ｅの作動を制御して、前記現像装置Ｇｙ〜Ｇｋや前記帯電器ＣＲｙ〜ＣＲｋ、前記１次転写装置Ｔ１ｙ〜Ｔ１ｋ、前記定着装置Ｆの前記加熱ロールＦｈのヒータ等を制御する電圧、電流の供給を制御する。
Ｃ２４：印刷送信情報受信手段
情報受信手段の一例としての印刷送信情報受信手段Ｃ２４は、前記クライアントパソコンＰＣの印刷送信情報記憶手段Ｃ６によって作成され、前記クライアントパソコンＰＣの印刷送信情報送信手段Ｃ７によって送信された印刷送信情報を受信する。
Ｃ２６：印刷送信情報記憶手段
印刷送信情報記憶手段Ｃ２６は、前記印刷送信情報受信手段Ｃ２４で受信した印刷送信情報を記憶する。
【００６８】
Ｃ２７：機密情報判別手段
機密情報判別手段Ｃ２７は、印刷送信情報受信手段Ｃ２４で受信した印刷送信情報に基づいて、受信した印刷送信情報が機密印刷、いわゆる、セキュリティプリントであるか否かを判別する。
実施例１の機密情報判別手段Ｃ２７は、印刷送信情報に認証情報が含まれている場合にセキュリティプリントであると判別する。
Ｃ２８：カセットロック手段
開閉規制手段の一例としてのカセットロック手段Ｃ２８は、前記機密情報判別手段Ｃ２７の判別結果に基づいて、セキュリティプリントであると判別された場合に、前記ロック用モータＭ２を正回転駆動して、前記ロックロッド１３をロック位置に移動させる。
実施例１のカセットロック手段Ｃ２８は、セキュリティプリントがされた記録シートＳが排出される排出先の着脱カセット１，１０１に対応するロック用モータＭ２を駆動して、ロック位置に移動させて、前記着脱カセット１，１０１を取外し不能にし、且つ、前側扉１１，１１１を開放不能に施錠、いわゆる、ロックする。
【００６９】
図９は本発明の実施例１の画像形成装置本体の操作部におけるカセット選択画面の説明図である。
Ｃ２９：カセット選択画面表示手段
収容部選択画面表示手段の一例であるカセット選択画面表示手段Ｃ２９は、セキュリティプリントがされて記録シートＳが排出された着脱カセット１，１０１から記録シートＳを取出す場合に、ロックを解除する着脱カセット１，１０１を選択するための収容部選択画面の一例としてのカセット選択画面６１を表示部ＵＩ３に表示する。
図９において、実施例１のカセット選択画面６１は、ロックを解除する認証情報を入力するための「認証」アイコン６２、カセットの選択を中止する選択中止釦の一例としての「キャンセル」アイコン６３、認証を行う前記着脱カセット１，１０１を選択する収容部選択釦の一例であるカセット選択釦６４ａ，６４ｂを有する収容部選択欄の一例としてのカセット選択欄６４、および、前記第１着脱カセット１や前記第２着脱カセット１０１の複合機Ｕにおける位置を表示した収容部表示画像の一例としてのカセット表示画像６６を有する。
なお、実施例１の前記カセット選択欄６４、および、カセット表示画像６６では、利用者の入力に応じて選択された前記着脱カセット１，１０１に対応する部分が強調表示されるように設定されている。
【００７０】
図１０は本発明の実施例１の画像形成装置本体の操作部における認証情報入力画面の説明図である。
Ｃ３１：認証情報入力画面表示手段
認証情報入力画面表示手段Ｃ３１は、ロックを解除するための認証情報の入力を行う指示があった場合に、認証情報を入力するための認証情報入力画面７１を表示部ＵＩ３に表示する。
実施例１の認証情報入力画面表示手段Ｃ３１は、前記カセット選択画面６１において、前記「認証」アイコン６２の入力がされた場合に、ロックを解除するための認証情報の入力を行う指示があったと判別して、前記認証情報入力画面７１を表示部ＵＩ３に表示する。
【００７１】
図１０において、実施例１の認証情報入力画面７１は、ユーザＩＤを入力するための利用者識別情報入力欄の一例としてのユーザＩＤ入力欄７２、パスワードを入力するための暗証番号入力欄の一例としてのパスワード入力欄７３、ユーザＩＤやパスワードを入力するための文字入力画像の一例としてのキーボード入力画像を表示するための文字入力画像表示釦の一例としての「キーボード」アイコン７４、認証情報の入力が終了し、認証を実行するための「実行」アイコン７６、および、認証を中止するための認証中止釦の一例としての「キャンセル」アイコン７７を有する。
前記ユーザＩＤ入力欄７２、前記パスワード入力欄７３には、図示しない従来公知のキーボード入力画像で入力された情報が反映される。
【００７２】
Ｃ３２：認証情報一致判別手段
認証手段の一例としての認証情報一致判別手段Ｃ３２は、前記印刷送信情報記憶手段Ｃ２６に記憶された印刷送信情報に含まれる認証情報であるユーザＩＤ情報、および、パスワード情報と、前記ユーザＩＤ入力欄７２に入力されたユーザＩＤ情報および前記パスワード入力欄７３に入力されたパスワード情報とが一致するか否かを判別する。
なお、前記認証情報一致判別手段Ｃ３２は、認証情報が一致しないと判別した場合に、図示しない従来公知の認証失敗警告画面を表示部ＵＩ３に表示する。
【００７３】
Ｃ３３：アンロック手段
開閉規制解除手段の一例としてのアンロック手段Ｃ３３は、前記認証情報一致判別手段Ｃ３２の判別結果に基づいて、認証情報が一致すると判別された場合に、ロックを解除、いわゆる、アンロックする。
実施例１のアンロック手段Ｃ３３は、前記カセット選択欄６４の前記カセット選択釦６４ａ，６４ｂで選択された前記第１着脱カセット１、または、前記第２着脱カセット１０１に対応する前記ロック用モータＭ２を逆回転駆動して、前記ロックロッド１３，１１３をアンロック位置に移動させることでアンロックする。
したがって、前記アンロック手段Ｃ３３は、選択された前記第１着脱カセット１、または、前記第２着脱カセット１０１を取外し可能にし、且つ、第１前側扉１１、または、第２前側扉１１１を開放可能にする。
【００７４】
Ｃ３４：カセット着脱検知手段
容器着脱検知手段の一例としてのカセット着脱検知手段Ｃ３４は、前記第１カセット着脱検知センサＳＮ１と、前記第２カセット着脱検知センサＳＮ４からの信号に基づいて、前記第１着脱カセット１や前記第２着脱カセット１０１の着脱を検知する。
Ｃ３６：カセット開閉検知手段
容器開閉検知手段の一例としてのカセット開閉検知手段Ｃ３６は、前記第１扉開閉検知センサＳＮ７と、前記第２扉開閉検知センサＳＮ１０７からの信号に基づいて、前記第１着脱カセット１の第１前側扉１１や前記第２着脱カセット１０１の第２前側扉１１１の開閉を検知する。
Ｃ３７：カセット内残シート有無検知手段
収容部内着残媒体有無検知手段の一例としてのカセット内残シート有無検知手段Ｃ３７は、前記第１記録シート検知センサＳＮ３と、前記第２記録シート検知センサＳＮ６からの信号に基づいて、前記第１着脱カセット本体２や前記第２着脱カセット本体１０２の媒体収容空間９に残っている記録シートＳの有無を検知する。
【００７５】
Ｃ３８：履歴情報記憶手段
履歴情報記憶手段Ｃ３８は、カセット着脱情報、カセット開閉情報、カセット内残シート有無情報、および、ユーザ履歴情報を含む履歴情報を記憶する。
実施例１の履歴情報記憶手段Ｃ３８は、前記着脱カセット１，１０１が排出トレイＴＲｈやフェイスアップトレイＴＲｈ３に装着されるごとに履歴情報を記憶している。
Ｃ３９：履歴情報更新手段
履歴情報更新手段Ｃ３９は、カセット着脱情報更新手段Ｃ３９Ａと、カセット開閉情報更新手段Ｃ３９Ｂと、カセット内残シート有無情報更新手段Ｃ３９Ｃと、ユーザ履歴情報更新手段Ｃ３９Ｄと、読込み履歴情報更新手段Ｃ３９Ｅとを有し、前記履歴情報記憶手段Ｃ３８に記憶された履歴情報を更新する。
【００７６】
Ｃ３９Ａ：カセット着脱情報更新手段
着脱履歴更新手段の一例としての容器着脱情報更新手段の一例としてカセット着脱情報更新手段Ｃ３９Ａは、前記カセット着脱検知手段Ｃ３４より、前記第１カセット１や前記第２着脱カセット１０１の、前記排出トレイＴＲｈや前記フェイスアップトレイＴＲｈ３に対する装着、または、取外しが検知された場合に、前記履歴情報記憶手段Ｃ３８の履歴情報のカセット着脱情報に装着、または、取外されたことを登録して、カセット着脱情報を更新する。
【００７７】
Ｃ３９Ｂ：カセット開閉情報更新手段
開閉履歴更新手段の一例としてのカセット開閉情報更新手段Ｃ３９Ｂは、カセット開閉検知手段Ｃ３６より、前記第１着脱カセット１の第１前側扉１１や前記第２着脱カセット１０１の第２前側扉１１１が開閉されたことが検知された場合に、前記履歴情報記憶手段Ｃ３８に記憶された履歴情報のカセット開閉情報に開放または閉塞を登録して更新する。
Ｃ３９Ｃ：カセット内残シート有無情報更新手段
媒体収容情報更新手段の一例としてのカセット内残シート有無情報更新手段Ｃ３９Ｃは、カセット内残シート有無検知手段Ｃ３７より、前記第１着脱カセット本体２や前記第２着脱カセット本体１０２の媒体収容空間９に記録シートＳが収容、または、取出されたことが検知された場合に、前記履歴情報記憶手段Ｃ３８に記憶された履歴情報のカセット内残シート有無情報に収容、または、取出しを登録して更新する。
【００７８】
Ｃ３９Ｄ：ユーザ履歴情報更新手段
送信者更新手段の一例としてのユーザ履歴情報更新手段Ｃ３９Ｄは、前記機密情報判別手段Ｃ２７に基づいて、受信した印刷送信情報がセキュリティプリントである場合に、前記クライアントパソコンＰＣでセキュリティプリント設定を入力した利用者の認証情報を前記履歴情報記憶手段Ｃ３８に記憶された履歴情報のユーザ履歴情報に登録、更新する。
また、前記ユーザ履歴情報更新手段Ｃ３９Ｄは、前記認証情報一致判別手段Ｃ３２の判別結果に基づいて、認証情報が一致すると判別された場合に、ユーザ履歴情報にセキュリティプリントの利用者が認証を行った旨を登録し、更新する。
【００７９】
Ｃ３９Ｅ：読込み履歴情報更新手段
読込み履歴情報更新手段Ｃ３９Ｅは、前記カセット着脱検知手段Ｃ３４より、前記第１カセット１や前記第２着脱カセット１０１の前記排出トレイＴＲｈや前記フェイスアップトレイＴＲｈ３に対する装着が検知された場合に、第１ＩＣチップリーダＳＮ２や第２ＩＣチップリーダＳＮ５によって読込まれた第１ＩＣチップや第２ＩＣチップに記憶されている履歴情報を、前記履歴情報記憶手段Ｃ３８に記憶された履歴情報に登録し、更新する。
【００８０】
Ｃ４０：ＩＣチップ履歴情報書き込み手段
情報記憶部材履歴情報書き込み手段の一例としてのＩＣチップ履歴情報書き込み手段Ｃ４０は、前記第１ＩＣチップリーダＳＮ２と前記第２ＩＣチップリーダＳＮ５を制御して、前記履歴情報記憶手段Ｃ３８に記憶された履歴情報を前記ＩＣチップに書き込む。
実施例１のＩＣチップ履歴情報書き込み手段Ｃ４０は、前記カセットロック手段Ｃ２８によって、前記ロックロッド１３やロックロッド１１３をロック位置に移動する場合と、また、前記アンロック制御手段Ｃ３３によって、前記ロックロッド１３やロックロッド１１３をアンロック位置に移動する場合とに、ロック、または、アンロックされた前記着脱カセット１，１０１に対応する前記第１ＩＣチップリーダＳＮ２と前記第２ＩＣチップリーダＳＮ５とを制御して、第１ＩＣチップと前記第２ＩＣチップとに履歴情報を書き込む。
【００８１】
Ｃ４１：履歴情報送信要求受信手段
履歴情報送信要求受信手段Ｃ４１は、前記クライアントパソコンＰＣより送信された前記履歴情報の送信要求を受信する。
Ｃ４２：履歴情報送信手段
履歴情報送信手段Ｃ４２は、前記履歴情報送信要求受信手段Ｃ４１が前記クライアントパソコンＰＣより履歴送信要求信号を受信した場合に、前記クライアントパソコンＰＣに対し前記履歴情報記憶手段Ｃ３８に記憶された履歴情報を送信する。
【００８２】
（実施例１のフローチャートの説明）
次に、実施例１のクライアントパソコンＰＣの印刷実行プログラムＡＰ１の処理の流れを流れ図、いわゆるフローチャートを使用して説明する。
なお、以下のフローチャートの説明において、理解の容易のために本願実施例の説明に関連する必要な箇所以外の説明は適宜省略されている。
（実施例１の印刷実行プログラムＡＰ１の印刷送信情報設定処理のフローチャートの説明）
図１１は本発明の実施例１の印刷実行プログラムの印刷送信情報設定処理のフローチャートである。
図１２は本発明の実施例１の印刷実行プログラムの印刷送信情報設定処理のフローチャートであり、図１１の続きのフローチャートである。
図１１のフローチャートの各段階処理の一例である、いわゆる、ステップＳＴの処理は、前記制御部のＲＯＭ等に記憶されたプログラムに従って行われる。また、この処理は画像形成装置本体Ｕ２の他の各種処理と並行して実行される。
【００８３】
図１１に示すフローチャートは、前記クライアントパソコンＰＣのプリンタドライバが起動した場合に開始される。
図１１のＳＴ１において、画像形成装置本体Ｕ２に対し履歴情報を送信するように要求する履歴送信要求信号を送信する。そして、ＳＴ２に進む。
ＳＴ２において、前記画像形成装置本体Ｕ２から履歴情報が受信された否かを判別する。イエス（Ｙ）の場合はＳＴ３に進み、ノー（Ｎ）の場合はＳＴ２に戻る。
ＳＴ３において、前記画像形成装置本体Ｕ２から受信した履歴情報を記憶する。そして、ＳＴ４に進む。
【００８４】
ＳＴ４において、印刷設定画面３１をディスプレイＨ２に表示する。そして、ＳＴ５に進む。
ＳＴ５において、「セキュリティ設定」アイコン３４を選択する入力がされたか否かを判別する。イエス（Ｙ）の場合は図１２に示すＳＴ１２に進み、ノー（Ｎ）の場合はＳＴ６に進む。
ＳＴ６において、「ＯＫ」アイコン３２を選択する入力がされたか否かを判別する。イエス（Ｙ）の場合はＳＴ１０に進み、ノー（Ｎ）の場合はＳＴ７に進む。
ＳＴ７において、「キャンセル」アイコン３３を選択する入力がされたか否かを判別する。イエス（Ｙ）の場合はＳＴ１１に進み、ノー（Ｎ）の場合はＳＴ８に進む。
【００８５】
ＳＴ８において、前記印刷設定画面３１の印刷範囲設定欄３６や印刷部数設定欄３７等への各種設定の入力がされたか否かを判別する。イエス（Ｙ）の場合はＳＴ９に進み、ノー（Ｎ）の場合はＳＴ５に戻る。
ＳＴ９において、前記印刷設定画面３１の印刷範囲設定欄３６や印刷部数設定欄３７等への入力に応じて、前記印刷設定画面３１の画像を更新する。そして、ＳＴ５に戻る。
ＳＴ１０において、前記画像形成装置本体Ｕ２に印刷送信情報を送信する。そして、ＳＴ１１に進む。
ＳＴ１１において、前記印刷設定画面３１を閉じ、プリンタドライバを終了する。
【００８６】
ＳＴ１２において、前記画像形成装置本体Ｕ２より送信された履歴情報に基づいて、セキュリティプリント設定画面４１をディスプレイＨ２に表示する。そして、ＳＴ１３に進む。
ＳＴ１３において、「認証」アイコン４２を選択する入力がされたか否かを判別する。イエス（Ｙ）の場合はＳＴ１８に進み、ノー（Ｎ）の場合はＳＴ１４に進む。
ＳＴ１４において、「キャンセル」アイコン４３を選択する入力がされたか否かを判別する。イエス（Ｙ）の場合はＳＴ１５に進み、ノー（Ｎ）の場合はＳＴ１６に進む。
ＳＴ１５において、前記セキュリティプリント設定画面４１を閉じる。そして、ＳＴ５に戻る。
【００８７】
ＳＴ１６において、前記セキュリティプリント設定画面４１の記録シート排出先選択欄４４で記録シートＳの排出先を選択する入力がされたか否かを判別する。イエス（Ｙ）の場合はＳＴ１７に進み、ノー（Ｎ）の場合はＳＴ１３に戻る。
ＳＴ１７において、前記記録シート排出先選択欄４４への入力に応じて、前記セキュリティプリント設定画面４１の記録シート排出先表示画像４６の画像を更新する。そして、ＳＴ１３に戻る。
ＳＴ１８において、認証情報入力画面５１を前記ディスプレイＨ２に表示する。そして、ＳＴ１９に進む。
ＳＴ１９において、「ＯＫ」アイコン５２を選択する入力がされたか否かを判別する。イエス（Ｙ）の場合はＳＴ２４に進み、ノー（Ｎ）の場合はＳＴ２０に進む。
【００８８】
ＳＴ２０において、「キャンセル」アイコン５３を選択する入力がされたか否かを判別する。イエス（Ｙ）の場合はＳＴ２１に進み、ノー（Ｎ）の場合はＳＴ２２に進む。
ＳＴ２１において、前記認証情報入力画面５１を閉じる。そして、ＳＴ１３に戻る。
ＳＴ２２において、ＩＤ入力欄５４へのユーザＩＤ情報の入力や、パスワード入力欄５６へのパスワード情報の入力がされたか否かを判別する。イエス（Ｙ）の場合はＳＴ２３に進み、ノー（Ｎ）の場合はＳＴ１９に戻る。
ＳＴ２３において、前記認証情報入力画面５１の前記ＩＤ入力欄５４へのユーザＩＤ情報の入力や、前記パスワード入力欄５６へのパスワード情報の入力に応じて、前記認証情報入力画面５１を更新する。そして、ＳＴ１９に戻る。
【００８９】
ＳＴ２４において、前記ＩＤ入力欄５４に入力されたユーザＩＤ情報や、前記パスワード入力欄５６に入力されたパスワード情報を認証情報として記憶する。そして、ＳＴ２５に進む。
ＳＴ２５において、印刷画像情報、印刷設定情報、および、認証情報を含む印刷送信情報を作成、記憶する。そして、ＳＴ２６に進む。
ＳＴ２６において、前記セキュリティプリント設定画面４１と、前記認証情報入力画面５１とを閉じる。そして、ＳＴ５に戻る。
【００９０】
（実施例１の画像形成装置本体のセキュリティプリント処理のフローチャートの説明）
次に、実施例１の画像形成装置本体Ｕ２のセキュリティプリント処理の流れをフローチャートを使用して説明する。
図１３は本発明の実施例１の画像形成装置本体のセキュリティプリント処理のフローチャートである。
図１４は本発明の実施例１の画像形成装置本体のセキュリティプリント処理のフローチャートであり、図１３の続きのフローチャートである。
図１３のフローチャートの各ＳＴ（ステップ）の処理は、画像形成装置本体Ｕ２のＲＯＭ等に記憶されたプログラムに従って行われる。また、この処理は前記画像形成装置本体Ｕ２の他の各処理と並行して並列処理で実行される。
図１３に示すフローチャートは画像形成装置本体Ｕ２の電源が投入された時に開始される。
【００９１】
ＳＴ１０１において、クライアントパソコンＰＣから履歴送信要求信号を受信したか否かを判別する。イエス（Ｙ）の場合はＳＴ１０２に進み、ノー（Ｎ）の場合はＳＴ１０３に進む。
ＳＴ１０２において、履歴情報を前記クライアントパソコンＰＣに送信する。そして、ＳＴ１０１に戻る。
ＳＴ１０３において、クライアントパソコンＰＣから印刷送信情報を受信したか否かを判別する。イエス（Ｙ）の場合はＳＴ１１１に進み、ノー（Ｎ）の場合はＳＴ１０４に進む。
ＳＴ１０４において、ユーザインタフェースＵＩから記録シートＳの取出しの入力があるか否かを判別する。イエス（Ｙ）の場合はＳＴ１１４に進み、ノー（Ｎ）の場合はＳＴ１０５に進む。
【００９２】
ＳＴ１０５において、第１着脱カセット１や第２着脱カセット１０１が着脱されたことを検知したか否かを判別する。イエス（Ｙ）の場合はＳＴ１０６に進み、ノー（Ｎ）の場合はＳＴ１０７に進む。
ＳＴ１０６において、前記第１着脱カセット１や前記第２着脱カセット１０１が着脱されたことを履歴情報のカセット着脱情報に登録し、更新する。そして、ＳＴ１０１に戻る。
ＳＴ１０７において、前記第１着脱カセット１の第１前側扉１１や前記第２着脱カセット１０１の第２前側扉１１１の開閉を検知したか否かを判別する。イエス（Ｙ）の場合はＳＴ１０８に進み、ノー（Ｎ）の場合はＳＴ１０９に進む。
ＳＴ１０８において、前記第１着脱カセット１の第１前側扉１１や前記第２着脱カセット１０１の第２前側扉１１１が開閉されたことを履歴情報のカセット開閉情報に登録し、更新する。そして、ＳＴ１０１に戻る。
【００９３】
ＳＴ１０９において、第１着脱カセット本体２や第２着脱カセット本体１０２内の記録シートＳの収容、または、取出しを検知したか否かを判別する。イエス（Ｙ）の場合はＳＴ１１０に進み、ノー（Ｎ）の場合はＳＴ１０１に戻る。
ＳＴ１１０において、前記第１着脱カセット本体２や前記第２着脱カセット本体１０２内の記録シートＳが収容、または、取出されたことを履歴情報のカセット内残シート有無情報に登録し、更新する。そして、ＳＴ１０１に戻る。
【００９４】
ＳＴ１１１において、印刷送信情報に認証情報が含まれているか否かを判別する。イエス（Ｙ）の場合はＳＴ１１２に進み、ノー（Ｎ）の場合はＳＴ１１３に進む。
ＳＴ１１２において、以下の（１）〜（３）の処理を実行し、ＳＴ１１３に進む。
（１）認証情報で記録シートＳの排出先として選択された前記第１カセット１、または、前記第２着脱カセット１０１を記録シートＳの排出先として設定する。
（２）記録シートＳの排出先として設定された前記第１カセット１、または、前記第２着脱カセット１０１をロックする。
（３）記録シートＳの排出先として設定された前記第１カセット１の第１ＩＣチップ、または、前記第２着脱カセット１０１の第２ＩＣチップに履歴情報を書き込む。
ＳＴ１１３において、印刷動作であるジョブを実行する。そしてＳＴ１０１に戻る。
【００９５】
ＳＴ１１４において、カセット選択画面６１を表示部ＵＩ３に表示する。そして、ＳＴ１１５に進む。
ＳＴ１１５において、「認証」アイコン６２を選択する入力がされたか否かを判別する。イエス（Ｙ）の場合はＳＴ１２０に進み、ノー（Ｎ）の場合はＳＴ１１６に進む。
ＳＴ１１６において、「キャンセル」アイコン６３を選択する入力がされたか否かを判別する。イエス（Ｙ）の場合はＳＴ１１７に進み、ノー（Ｎ）の場合はＳＴ１１８に進む。
ＳＴ１１７において、前記表示部ＵＩ３の前記カセット選択画面６１の表示を終了し、図示しない操作部初期画面を表示する。そして、ＳＴ１０１に戻る。
【００９６】
ＳＴ１１８において、前記カセット選択画面６１の前記カセット選択欄６４の前記カセット選択釦６４ａ，６４ｂで記録シートＳの排出先を選択する入力がされたか否かを判別する。イエス（Ｙ）の場合はＳＴ１１９に進み、ノー（Ｎ）の場合はＳＴ１１５に戻る。
ＳＴ１１９において、前記カセット選択欄６４への入力に応じて、前記カセット選択画面６１のカセット表示画像６６の画像を更新する。そして、ＳＴ１１５に戻る。
ＳＴ１２０において、前記表示部ＵＩ３の前記カセット選択画面６１の表示を終了し、認証情報入力画面７１を表示する。そして、ＳＴ１２１に進む。
ＳＴ１２１において、「実行」アイコン７６を選択する入力がされたか否かを判別する。イエス（Ｙ）の場合はＳＴ１２５に進み、ノー（Ｎ）の場合はＳＴ１２２に進む。
ＳＴ１２２において、「キャンセル」アイコン７７を選択する入力がされたか否かを判別する。イエス（Ｙ）の場合はＳＴ１１４に戻り、ノー（Ｎ）の場合はＳＴ１２３に進む。
【００９７】
ＳＴ１２３において、「キーボード」アイコン７４を選択する入力がされたか否かを判別する。イエス（Ｙ）の場合はＳＴ１２４に進み、ノー（Ｎ）の場合はＳＴ１２１に戻る。
ＳＴ１２４において、図示しないキーボード入力画像で入力された入力内容に応じて、認証情報入力画面７１を更新する。そして、ＳＴ１２１に戻る。
ＳＴ１２５において、前記カセット選択欄６４で選択された記録シートＳの排出先と認証情報入力画面７１で入力された認証情報とが、履歴情報記憶手段Ｃ３８に記憶された記録シートＳの排出先の認証情報とに一致するか否かを判別する。イエス（Ｙ）の場合はＳＴ１２９に進み、ノー（Ｎ）の場合はＳＴ１２６に進む。
【００９８】
ＳＴ１２６において、前記表示部ＵＩ３に表示された前記認証情報入力画面７１の表示を終了し、図示しない認証失敗警告画面を前記表示部ＵＩ３に表示する。そして、ＳＴ１２７に進む。
ＳＴ１２７において、図示しない認証失敗警告画面において、利用者が告知内容を確認した旨の入力がされたか否かを判別する。イエス（Ｙ）の場合はＳＴ１２８に進み、ノー（Ｎ）の場合はＳＴ１２７に戻る。
ＳＴ１２８において、表示部ＵＩ３に表示された前記認証失敗警告画面の表示を終了し、前記認証情報入力画面７１を表示する。そして、ＳＴ１２０に戻る。
【００９９】
ＳＴ１２９において、以下の（１）〜（２）の処理を実行し、ＳＴ１３０に進む。
（１）前記カセット選択欄６４で記録シートＳの排出先として選択された前記第１着脱カセット１、または、前記第２着脱カセット１０１をアンロックする。
（２）利用者が認証を行った旨をユーザ履歴情報に登録し、更新する。
ＳＴ１３０において、前記操作部初期画面を前記表示部ＵＩ３に表示する。そして、ＳＴ１０１に戻る。
【０１００】
（実施例１の作用）
前記構成を備えた実施例１のクライアントパソコンＰＣでは、利用者の入力に応じ、印刷実行プログラムＡＰ１によって印刷送信情報が作成され、作成された印刷送信情報は、複合機Ｕの画像形成装置本体Ｕ２に送信される。
図１において、前記複合機Ｕでは、受信した印刷送信情報に基づいて、画像形成、いわゆる、ジョブが実行され、画像形成された記録シートＳは、第１着脱カセット１や第２着脱カセット１０１が装着されていない場合、記録シートＳの排出先として設定された排出トレイＴＲｈや、フェイスダウントレイＴＲｈ２、フェイスアップトレイＴＲｈ３に排出される。
【０１０１】
また、図２において、前記トレイＴＲｈに第１着脱カセット１が装着されると、カセット着脱検知センサＳＮ１より前記第１着脱カセット１が装着されたことが検知され、履歴情報のカセット着脱情報が更新される。そして、第１着脱カセット１の第１ＩＣチップに記憶された前記第１着脱カセット１のユーザ履歴情報等を含む履歴情報が読込まれ、画像形成装置本体Ｕ２の履歴情報のユーザ履歴情報が更新される。
【０１０２】
また、装着された前記第１着脱カセット１から記録シートＳを取出し忘れた等によって、装着された第１着脱カセット本体２内の媒体収容空間９に記録シートＳが収容、または、取出されたことがカセット内シート有無検知センサＳＮ３より検知されると、履歴情報のカセット内残シート有無情報が更新される。さらに、第１着脱カセット１の第１前側扉１１が開放、または、閉塞されたことがカセット開閉検知センサＳＮ７より検知されると、履歴情報のカセット開閉情報が更新される。
また、前記第２着脱カセット１０１が装着された場合も、前記第１着脱カセット１の場合と同様に履歴情報が更新される。
【０１０３】
前記クライアントパソコンＰＣの前記印刷実行プログラムＡＰ１が起動されると、前記画像形成装置本体Ｕ２から履歴情報を受信し、「セキュリティ設定」アイコン３４の入力がされると、受信した履歴情報に基づいて、前記第１着脱カセット１の状態がセキュリティプリント設定画面４１の記録シート排出先選択欄４４、および、記録シート排出先表示画像４６に表示される。
例えば、履歴情報に基づいて、前記第１着脱カセット１が装着されていない場合、または、第１前側扉１１が開放されている場合には使用不可能である旨が表示される。また、前記第１着脱カセット１内に記録シートが収容されている場合、または、前記第１着脱カセット１がロックされている場合には、図６の第２カセット状態表示部４４ｂに示すように、ユーザ履歴に登録されている最新の利用者が使用中である旨が表示される。
【０１０４】
よって、前記第１着脱カセット１が装着され、且つ、カセット開閉情報に基づいて前記第１着脱カセット１の第１前側扉１１が閉じられ、且つ、前記第１着脱カセット１内に記録シートが収容されていない場合に前記第１着脱カセット１は、セキュリティプリントされた記録シートＳの排出先として利用可能である旨が表示される。
また、前記第２着脱カセット１０１の状態も、受信した履歴情報に基づいて、前記記録シート排出先選択欄４４、および、記録シート排出先表示画像４６で、前記第１着脱カセット１の場合と同様に表示される。
【０１０５】
前記セキュリティプリント設定画面４１で利用可能であると表示された前記着脱カセット１，１０１を記録シートＳの排出先として選択し、認証情報入力画面５１でユーザＩＤ情報とパスワード情報の入力が終了すると、認証情報を含む印刷送信情報が作成され、前記画像形成装置Ｕ２に送信される。
前記クライアントパソコンＰＣから送信された印刷送信情報を受信した画像形成装置本体Ｕ２は、受信した印刷送信情報に認証情報が含まれている場合に、実行されるジョブがセキュリティプリントであると判別する。この場合、認証情報で特定される選択カセット１，１０１に対応して、ロックロッド１３，１１３がロック位置に移動させられて、前記着脱カセット１，１０１が取外し不能にされ、且つ、前記前側扉１１，１１１が開放不能にされる、いわゆる、ロックされる。
【０１０６】
よって、前記着脱カセット１，１０１と前記前側扉１１，１１１とがロックされている場合には、前記着脱カセット１，１０１を取外して持ち出すことが不可能であり、また、前記着脱カセット本体２，１０２の前記媒体収容空間９より記録シートＳを取出すことが不可能である。そして、この状態で、記録シートＳに印刷されて、前記着脱カセット１，１０１に排出される。
認証情報を入力した利用者によって、記録シートＳの排出先として選択された前記着脱カセット１，１０１と前記前側扉１１，１１１とがロックされた情報は、履歴情報のユーザ履歴情報に記憶、更新される。さらに、更新されたユーザ履歴情報が、記録シートＳの排出先として選択された前記着脱カセット１，１０１の前記第１ＩＣチップ、前記第２ＩＣチップの履歴情報に書き込まれる。
【０１０７】
そして、ユーザインタフェースＵＩで認証開始釦ＵＩ６が入力されると、表示部ＵＩ３にカセット選択画面６１が表示され、前記カセット選択画面６１で選択された前記着脱カセット１，１０１、認証情報入力画面７１に入力されたユーザＩＤ情報，パスワード情報と、更新された履歴情報に含まれる認証情報とが一致した場合に、前記ロックロッド１３，１１３がアンロック位置に移動する。したがって、前記着脱カセット１，１０１をロックしている前記ロックロッド１３，１１３がアンロック位置に移動すると、前記着脱カセット１，１０１が取外し可能になると共に、前記前側扉１１，１１１が開放可能になる。
よって、前記着脱カセット１，１０１を取外して持ち出したり、前記着脱カセット本体２，１０２の媒体収容空間９より記録シートＳを取出したりすることが可能となる。
【０１０８】
また、前記着脱カセット１，１０１のロックを開放させると認証されたＩＤ情報が、履歴情報のユーザ履歴情報に記憶、更新される。さらに、ユーザ履歴情報が、ロックが開放された前記着脱カセット１，１０１の前記第１ＩＣチップ、前記第２ＩＣチップの履歴情報に書き込まれる。
一方、従来の画像形成装置の機密情報印刷では、利用者以外の人物が印刷された書類を閲覧、取出し難くするために、クライアントパソコン等で印刷情報と認証情報が画像形成装置に送信されても、印刷は実行されず、利用者がクライアントパソコンの設置された場所から画像形成装置の設置された場所に移動して操作部から入力を行い、送信された認証情報と、入力された認証情報とが一致した場合に印刷が実行される構成が一般的である。
したがって、画像形成装置で認証情報が入力されてから印刷が開始されるため、印刷された書類を取出すまでに時間がかかっていた。
【０１０９】
これに対し、実施例１の前記複合機Ｕでは、前記クライアントパソコンＰＣからセキュリティプリントの印刷情報が送信されると、利用者が前記複合機Ｕの設置場所に移動中にもロックされた前記着脱カセット１，１０１に排出が行われ、ロックが解除されると、記録シートＳが取出し可能となる。したがって、従来の画像形成装置の機密情報印刷と比べ、迅速に記録シートＳを取出すことが可能である。
また、実施例１の前記複合機Ｕでは、認証情報が入力されるまでは、前記着脱カセット１，１０１がロックされており、前記着脱カセット１，１０１が取外されたり、前記前側扉１１，１１１が開放されて記録シートＳを取出されたりすることが防止され、機密情報が漏洩することが低減される。
【０１１０】
なお、前記着脱カセット１，１０１が装着されていない状態では、図６のセキュリティプリント設定画面４１で前記着脱カセット１，１０１を排出先として選択不能な状態となっており、誤ってセキュリティプリントされた記録シートＳが排出トレイＴＲｈや前記フェイスアップトレイＴＲｈ３に排出されることが防止されている。
また、前記着脱カセット１，１０１が装着されている状態でも、ロックが解除されていない状態や、ロックが解除されても記録シートＳが取出されていない状態では、他の利用者が前記クライアントパソコンＰＣから前記着脱カセット１，１０１を選択して排出しようとしても、前記セキュリティプリント設定画面４１に示すように、選択不可能な状態になる。
【０１１１】
したがって、複数の利用者のセキュリティプリントされた記録シートＳが混在して前記着脱カセット１，１０１に排出されることが低減されている。
さらに、実施例１の前記複合機Ｕでは、ロックが解除されると、前記着脱カセット１，１０１は、前記排出トレイＴＲｈや前記フェイスアップトレイＴＲｈ３より取外して、持ち運ぶことが可能になっている。したがって、前記着脱カセット１，１０１を持ち運ぶ際には、記録シートＳは前記着脱カセット本体２，１０２の媒体収容空間９に収容されており、外部に記録シートＳが露出しておらず、利用者以外の人物によって閲覧されることが回避可能である。
【０１１２】
実施例１では、前記着脱カセット１，１０１の着脱が自動的に検知され、前記クライアントパソコンＰＣでの表示に反映される。したがって、セキュリティプリントを行いたい場合には、前記着脱カセット１，１０１を装着するだけで自動的に検知されて選択可能になると共に、セキュリティプリントを行わない場合には、前記着脱カセット１，１０１を取外すだけで通常の印刷を行うことが可能になっている。
よって、記録シートＳの取出しが容易な前記排出トレイＴＲｈや前記フェイスアップトレイＴＲｈ３への排出と、閉塞された前記着脱カセット本体２，１０２の媒体収容空間９への排出とを前記着脱カセット１，１０１で容易に切り替え可能になっている。
さらに、前記排出トレイＴＲｈや前記フェイスアップトレイＴＲｈ３に前記着脱カセット１，１０１を着脱することで、機密性の安全水準、いわゆる、セキュリティレベルを簡単に変更することが可能である。
【０１１３】
また、前記着脱カセット１，１０１が取外され再び装着された場合に、前記第１ＩＣチップ、前記第２ＩＣチップに記憶されている履歴情報のユーザ履歴情報が読込まれ、更新される。
したがって、再装着された前記着脱カセット１，１０１に記録シートＳが残っていることが検知されると、更新されたユーザ履歴から最後にロックを解除した利用者が記録シートＳを取出し忘れていると推測され、前記クライアントパソコンＰＣの前記セキュリティプリント設定画面４１に表示される。
また、実施例１では、装着された前記第１着脱カセット１の上面には、記録シートＳが積載可能となっており、フェイスダウントレイＴＲｈ２に大判の記録シートＳが積載された場合の補助的な記録シートＳの支持、あるいは、前記フェイスダウントレイＴＲｈ２を前記複合機Ｕより取外して、前記第１着脱カセット１上面に積載することが可能である。
【０１１４】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ05）を下記に例示する。
（Ｈ01）前記各実施例において、画像形成装置の一例として複合機Ｕを例示したが、これに限定されず、コピーのみ、プリンタのみの構成も可能であり、コピー、プリンタ、ＦＡＸ、これら複数の機能を備えた複合機等に適用可能である。また、多色の画像形成装置に限定されず、単色、いわゆるモノクロの画像形成装置により構成することも可能である。さらに、いわゆるタンデム式の画像形成装置に限定されず、ロータリ式等の画像形成装置にも適用可能である。また、電子写真方式の画像形成装置に限定されず、インクジェット記録方式やサーマルヘッド方式などをはじめリソグラフ等の印刷機等任意の画像形成方式の画像形成装置に適用可能である。
【０１１５】
（Ｈ02）前記実施例において、セキュリティプリントされた記録シートＳの排出先として、排出トレイＴＲｈやフェイスアップトレイＴＲｈ３に装着された第１着脱カセット１や第２着脱カセット１０１が構成されていたが、これに限定されず、いずれか一方のみを着脱可能としたり、他の排出トレイにもカセットを装着させたりすることも可能である。例えば、フェイスダウントレイＴＲｈ２に着脱可能なカセットを設けることで、セキュリティプリントされた記録シートＳの排出先として利用することも可能である。
（Ｈ03）前記実施例において、前記着脱カセット１，１０１に、ヒンジによって回転して開閉する第１前側扉１１，１１１を例示したが、これに限定されず、前記着脱カセット本体２，１０２に対し、抜き差し可能に支持された引き出し型の媒体収容部とすることも可能である。
【０１１６】
（Ｈ04）前記実施例において、前記着脱カセット１，１０１が前記排出トレイＴＲｈ、前記フェイスアップトレイＴＲｈ３に装着されたか否かを検出するカセット着脱検知センサＳＮ１，ＳＮ４と、前記第１ＩＣチップ、前記第２ＩＣチップに対し履歴情報の読取り、書き込みを行うＩＣチップリーダＳＮ２，ＳＮ５とが別々に構成されていたが、これに限定されず、ＩＣチップリーダに履歴情報の読取り、書き込みの他に、前記着脱カセット１，１０１の着脱検知を兼用させることも可能である。例えば、ＩＣチップリーダの通信可能範囲内に前記第１ＩＣチップ、前記第２ＩＣチップが移動した場合に、前記着脱カセット１，１０１の装着を検知したとみなし、また、ＩＣチップリーダの通信可能範囲外に前記第１ＩＣチップ、前記第２ＩＣチップが移動した場合に、前記着脱カセット１，１０１の取外しを検知したとみなすことも可能である。
【０１１７】
（Ｈ05）前記実施例において、前記着脱カセット本体２，１０２の媒体収容空間９に収容された記録シートＳの機密性を保つために、前記カセット着脱検知センサＳＮ１，ＳＮ４、記録シート検知センサＳＮ３，ＳＮ６、および、扉開閉検知センサＳＮ７，ＳＮ１０７を用いて前記着脱カセット１，１０１の利用可能条件を制限した構成を例示したが、これに限定されず、要求される機密性に応じて、利用可能条件の制限を追加したり、削減したりすることも可能である。
例えば、時間帯によって不特定多数の人物が出入りする場所内に前記複合機ＵとクライアントパソコンＰＣが設置されている場合、前記着脱カセット本体２，１０２の媒体収容空間９からセキュリティプリントされた記録シートＳを取出す際に近くの人に盗み見される危険性があるので、時間制限装置、いわゆる、タイマーを用いて、人が多い時間帯にセキュリティ設定を強制的に行って、人が少ない時間帯に選択可能にする等利用時間を制限することで、機密情報の漏洩の危険性を低減し、機密性を保持ことが可能である。
また、例えば、前記複合機Ｕが設置された部屋に入室する際に認証情報を照合することが求められている場合のように、他の構成で記録シートＳの機密情報に対する安全性が確保されている場合には、認証情報の認証や、扉開閉検知センサＳＮ７，ＳＮ１０７を削減したり、もしくは、全てのセンサを削除したりすることも可能である。
【図面の簡単な説明】
【０１１８】
【図１】図１は本発明の実施例１の画像形成装置の全体説明図である。
【図２】図２は本発明の実施例１の画像形成装置に媒体収容容器が装着された状態の説明図である。
【図３】図３は本発明の実施例１の第１着脱カセットの説明図であり、図３Ａは複合機の斜視図、図３Ｂは第１着脱カセットの開閉部を開放した状態の要部拡大図である。
【図４】図４は実施例１の画像情報送信装置の制御部分が備えている各機能を機能ブロック図で示した図である。
【図５】図５は本発明の実施例１の印刷設定画面の説明図である。
【図６】図６は本発明の実施例１のセキュリティプリント設定画面の説明図である。
【図７】図７は本発明の実施例１の認証情報入力画面の説明図である。
【図８】図８は本発明の実施例１の画像形成装置本体の制御部分が備えている各機能を機能ブロック図で示した図である。
【図９】図９は本発明の実施例１の画像形成装置本体の操作部におけるカセット選択画面の説明図である。
【図１０】図１０は本発明の実施例１の画像形成装置本体の操作部における認証情報入力画面の説明図である。
【図１１】図１１は本発明の実施例１の印刷実行プログラム印刷送信情報設定処理のフローチャートである。
【図１２】図１２は本発明の実施例１の印刷実行プログラムの印刷送信情報設定処理のフローチャートであり、図１１の続きのフローチャートである。
【図１３】図１３は本発明の実施例１の画像形成装置本体のセキュリティプリント処理のフローチャートである。
【図１４】図１４は本発明の実施例１の画像形成装置本体のセキュリティプリント処理のフローチャートであり、図１３の続きのフローチャートである。
【符号の説明】
【０１１９】
１，１０１…媒体収容容器、６ｃ…媒体受入口、８…媒体積載面、９…積載室、１１，１１１…開閉部材、１２…開閉規制装置、着脱規制装置、Ｃ２４…情報受信手段、Ｃ２８…開閉規制手段、Ｃ３２…認証手段、Ｃ３３…開閉規制解除手段、Ｃ３８…履歴情報記憶手段、Ｃ３９Ａ…着脱履歴更新手段、Ｃ３８Ｂ…開閉履歴更新手段、Ｃ３９Ｃ…媒体収容情報更新手段、Ｃ３９Ｄ…送信者更新手段、Ｃ４２…履歴情報送信手段、ＰＣ…画像情報送信装置、Ｒｈａ…媒体排出口、Ｒｈｂ…第２の媒体排出口、Ｓ…媒体、ＳＮ１，ＳＮ４…着脱検出部材、ＳＮ３，ＳＮ６…媒体検出部材、ＳＮ７，ＳＮ１０７…開閉検出部材、ＴＲｈ，ＴＲｈ２，ＴＲｈ３…排出媒体積載部、Ｕ…画像形成装置、Ｕ２…画像形成装置本体、ＵＡ…画像記録部、ＵＩ…操作部。
【図１】
2010131755.tif 000003
【図２】
2010131755.tif 000004
【図３】
2010131755.tif 000005
【図４】
2010131755.tif 000006
【図５】
2010131755.tif 000007
【図６】
2010131755.tif 000008
【図７】
2010131755.tif 000009
【図８】
2010131755.tif 000010
【図９】
2010131755.tif 000011
【図１０】
2010131755.tif 000012
【図１１】
2010131755.tif 000013
【図１２】
2010131755.tif 000014
【図１３】
2010131755.tif 000015
【図１４】
2010131755.tif 000016